(57)【特許請求の範囲】
【請求項１】
Ｔｘライン、前記Ｔｘラインと交差するＲｘライン、及び前記Ｔｘラインと前記Ｒｘラインの間に形成されたタッチセンサを含んだ、タッチスクリーンと、
１次センシングステップで前記タッチスクリーン内の全てのタッチセンサを１次センシングしてタッチ入力の有無を検出した後、２次センシングステップで前記１次センシングステップの結果タッチ入力が検出されたタッチセンサを２次センシングして前記タッチ入力の位置を検出する、タッチスクリーン駆動回路と、を含み、
前記１次センシングステップは、
少なくとも２以上に分割された１次Ｔｘブロックで前記タッチセンサの電圧をセンシングし、タッチ入力の有無を検出する、１次ブロックセンシングステップと、
前記１次ブロックセンシングステップで前記タッチ入力が検出された場合に、前記タッチ入力が検出された１次Ｔｘブロック内で分割された２以上の２次Ｔｘブロックに対してタッチの有無を検出する、２次ブロックセンシングステップと、
を含み、
前記２次センシングステップは、前記タッチ入力が検出されたブロックより大きいパーシャルセンシング領域内のＴｘラインに駆動信号を順次供給し、前記パーシャルセンシング領域内のタッチセンサをセンシングする、パーシャルセンシングステップを含み、
前記タッチスクリーン駆動回路は、
前記１次ブロックセンシングステップにより検出されたタッチ入力の有無を、前記２次ブロックセンシングステップで検証し、
前記１次ブロックセンシングステップで第１の１次Ｔｘブロック内のＴｘラインに駆動パルスが同時に印加された後に、第２の１次Ｔｘブロック内のＴｘラインに駆動パルスが同時に印加され、
前記２次ブロックセンシングステップで第１の２次Ｔｘブロック内のＴｘラインに駆動パルスが同時に印加された後に、第２の２次Ｔｘブロック内のＴｘラインに駆動パルスが同時に印加され、
前記１次ブロックセンシングステップで前記タッチ入力が検出されない場合、あらかじめ設定された所定の待機時間の間ディスエイブルされた後、前記１次ブロックセンシングステップを繰り返し、
前記２次ブロックセンシングステップの結果、タッチ入力が検出されたタッチセンサが無い場合に、前記１次ブロックセンシングステップを繰り返し、
前記２次ブロックセンシングステップで前記タッチ入力が検出された場合、前記２次センシングステップを実行し、前記タッチ入力が検出された２次Ｔｘブロック内に存在するＴｘラインにだけ前記駆動信号を順次供給し、前記タッチ入力が検出された２次Ｔｘブロック内のタッチセンサをセンシングすることにより、前記タッチ入力の位置を検出し、
前記パーシャルセンシングステップは、前記１次ブロックセンシングステップ及び前記２次ブロックセンシングステップが完了した後のみで実行される、
ことを特徴とするタッチセンサ装置。
【請求項２】
前記タッチスクリーン駆動回路は、
前記タッチスクリーンを少なくとも２以上のＴｘブロックに分割して前記１次センシングステップで第１Ｔｘブロック内のＴｘラインに駆動信号を同時に供給し、前記第１Ｔｘブロック内のタッチセンサを同時にセンシングした後に、第２Ｔｘブロック内のＴｘラインに駆動信号を同時に供給して前記第２Ｔｘブロック内のタッチセンサを同時にセンシングし、
前記第１及び第２Ｔｘブロックのそれぞれは前記Ｒｘラインの長軸方向に沿って分割され、
前記第１及び第２Ｔｘブロックのそれぞれは２個以上のＴｘラインと２個以上のＲｘラインを含む
ことを特徴とする請求項１記載のタッチセンサ装置。
【請求項３】
前記タッチスクリーン駆動回路は、
前記１次センシングステップで得られたセンシング結果をメモリーに貯蔵し、
前記１次センシングステップで得られたセンシング結果と前記２次センシングステップで得られたセンシング結果を加算し、その加算結果として生成されたタッチ元のデータに基づいて前記タッチ入力の位置を推定することを特徴とする請求項２記載のタッチセンサ装置。
【請求項４】
前記タッチスクリーン駆動回路は、
前記１次センシングステップで前記Ｔｘラインに駆動信号を順次供給して前記タッチセンサをセンシングし、
前記２次センシングステップで前記タッチ入力が検出されたＴｘブロック内に存在するＴｘラインにだけ駆動信号を順次供給して前記タッチ入力が検出されたＴｘブロック内のタッチセンサをセンシングし、
前記１次センシングステップで得られたセンシング結果をメモリーに貯蔵し、
前記１次センシングステップで得られたセンシング結果と前記２次センシングステップで得られたセンシング結果を加算し、その加算結果として生成されたタッチ元のデータに基づいて前記タッチ入力の位置を推定することを特徴とする請求項１記載のタッチセンサ装置。
【請求項５】
前記タッチスクリーン駆動回路は、
前記タッチスクリーンを少なくと２以上のＲｘブロックに分割して前記１次センシングステップで第１Ｒｘブロック内のＲｘラインを通じて受信される前記タッチセンサの電圧を同時にまたは順次にサンプリングしてタッチ元のデータに変換した後、第２Ｒｘブロック内のＲｘラインを通じて受信される前記タッチセンサの電圧を同時にまたは順次にサンプリングしてタッチ元のデータに変換し、
前記２次センシングステップで前記タッチ入力が検出されたＲｘブロック内のＲｘラインのみを通じて前記タッチセンサの電圧を受信し、そのタッチセンサの電圧を同時にまたは順次にサンプリングしてタッチ元のデータに変換し、
前記第１及び第２Ｒｘブロックそれぞれは前記Ｔｘラインの長軸方向に沿って分割され、
前記第１及び第２Ｒｘブロックそれぞれは２個以上のＴｘラインと２個以上のＲｘラインを含むことを特徴とする請求項２乃至４項の内いずれか１項に記載のタッチセンサ装置。
【請求項６】
前記タッチスクリーン駆動回路は、
前記Ｔｘラインに駆動信号を供給するＴｘ駆動回路と、
前記Ｒｘラインを通じて受信された前記タッチセンサの電圧をサンプリングしデジタルデータに変換してタッチ元のデータを出力するＲｘ駆動回路と、
前記Ｔｘ駆動回路と前記Ｒｘ駆動回路の動作タイミングを同期させ、前記Ｔｘ駆動回路と前記Ｒｘ駆動回路のチャンネルセットアップ、前記Ｒｘ駆動回路のサンプリングタイミング、前記Ｒｘ駆動回路のＡＤＣタイミングを制御するタッチスクリーンタイミングコントローラと、
前記タッチ元のデータを所定のしきい値を比べて前記しきい値以上のタッチ元のデータをタッチ入力データで推定するタッチ認識プロセッサを含むことを特徴とする請求項１記載のタッチセンサ装置。
【請求項７】
前記タッチスクリーン駆動回路は、
前記２次ブロックセンシングステップで検出した前記タッチ入力の位置を中心に前記Ｔｘブロックの大きさを徐々に小さく調節しながら前記タッチセンサの電圧を２回以上繰り返しセンシングすることを特徴とする請求項１記載のタッチセンサ装置。
【請求項８】
前記１次センシングステップは更に、
前記２次ブロックセンシングステップで前記タッチ入力が検出される時前記タッチ入力が検出された２次Ｔｘブロック内で分割された２以上の３次Ｔｘブロックに対して前記タッチ有無を検出する３次ブロックセンシングステップを含み、
前記３次ブロックセンシングステップで第１の３次Ｔｘブロック内のＴｘラインに駆動パルスが同時に印加された後に、第２の３次Ｔｘブロック内のＴｘラインに駆動パルスが同時に印加され、
前記２次Ｔｘブロックの大きさは前記１次Ｔｘブロックの大きさより小さく、
前記３次Ｔｘブロックの寸法は前記２次Ｔｘブロックの寸法より小さく、
前記タッチスクリーン駆動回路は、
前記３次ブロックセンシングステップで前記タッチ入力が検出される場合に、前記２次センシングステップに移行し、前記タッチ入力が検出された３次Ｔｘブロック内に存在するＴｘラインにだけ駆動信号を順次供給して、前記タッチ入力が検出された３次Ｔｘブロック内のタッチセンサをセンシングすることを特徴とする請求項７記載のタッチセンサ装置。
【請求項９】
前記タッチスクリーン駆動回路は、
前記タッチスクリーンを格子形態のブロックに分割し、
前記１次センシングステップで前記タッチスクリーンの第１Ｔｘブロック内のＴｘラインに駆動信号を同時に供給して前記第１Ｔｘブロック内のタッチセンサを同時にセンシングした後に、第２Ｔｘブロック内のＴｘラインに駆動信号を同時に供給して前記第２Ｔｘブロック内のタッチセンサを同時にセンシングし、
前記第１及び第２Ｔｘブロックのそれぞれは前記Ｒｘラインの長軸方向に沿って分割され、
前記第１及び第２Ｔｘブロックのそれぞれは２個以上のＴｘラインと２個以上のＲｘラインを含み、
前記第１Ｔｘブロックは前記格子形態に分けられたブロックの中で前記第１Ｔｘブロック内のＴｘラインを共有する第１グループのブロックを含み、
前記第２Ｔｘブロックは前記格子状に分けられたブロックの中で前記第２Ｔｘブロック内のＴｘラインを共有する第２グループのブロックを含む、
ことを特徴とする請求項１記載のタッチセンサ装置。
【発明の詳細な説明】
【技術分野】
【０００１】
本発明はタッチセンサ装置に関する。
【背景技術】
【０００２】
家電機器やポータブル情報機器の軽量化、スリム化にしたがってユーザー入力手段がボタン型スイッチからタッチセンサに取り変わっている。タッチスクリーンは複数のタッチセンサを含む。
【０００３】
特許文献１（アメリカ公開特許ＵＳ２０１０／０２００３１０（２０１０．０８．１２．公開）は互いに交差するＸライン とＹラインの交差部ごとに容量性タッチセンサ(capacitive touch sensor)を含むタッチスクリーン「以下"セルフキャパシタンス（Self capacitance）方式のタッチスクリーン"と称する」を開示している。セルフキャパシタンス（Self capacitance）方式のタッチスクリーンはＸラインをスキャニングしてＸラインから受信された信号をアナログ-デジタル変換(Analog to Digital conversion、と"ＡＤＣ"と称する) 過程を通じてデジタルデータに変換しまた、ＹラインをスキャニングしてＹラインから受信された信号をＡＤＣ過程を通じてデジタルデータに変換する。セルフキャパシタンス方式のタッチスクリーンはタッチ前後の容量変化量が大きいＸラインとＹラインの交点に位置するタッチセンサをタッチ位置で認識する。このようなセルフキャパシタンス方式のタッチスクリーンはＸラインとＹラインそれぞれをセンシングしてＡＤＣに変換し得られたデジタルデータを分析してタッチ位置を判断するから実際タッチ位置のようなＸラインとＹラインに存在するゴーストポイント(ghost point)をタッチ位置に誤認識される可能性がある。従って、セルフキャパシタンス方式のタッチスクリーンはマルチタッチ認識感度が落ち、複雑なゴースト検出及び除去アルゴリズムを追加で適用しなければならないなどの問題がある。
【０００４】
特許文献１に開示されたセルフキャパシタンス方式のタッチスクリーンはフリースキャンステップ(Pre-scan)からグループ単位でＸラインとＹラインをセンシングする。引き継いで、特許文献１に開示されたセルフキャパシタンス方式のタッチスクリーンはＡＤＣ過程とタッチ位置検出過程を経った後リスキャン(Re-scan)過程とタッチ位置検出過程を経ってタッチ認識の正確度を高める。また、特許文献１に開示されたセルフキャパシタンス方式のタッチスクリーンはフリースキャン過程でグループ内のＸライン(またはＹライン)を同時にスキャニングするのでタッチ位置を認識する度に全てのＸラインとＹラインを順次にセンシングする方式に比べてタッチセンシング速度を減らすことができる。しかし特許文献１に開示されたセルフキャパシタンス方式のタッチスクリーンはタッチ位置を認識する度にフリースキャン、ＡＤＣ、タッチ認識アルゴリズム実行、リスキャン、ＡＤＣ、タッチ認識アルゴリズム実行などを順次に処理しなければならないのでタッチセンシング速度を減らすのに限界がある。
【０００５】
タッチレポートレート(Touch Report Rate)はタッチスクリーン内に存在する全てのタッチセンサをセンシングした後得られる座標データを外部に伝送する周波数（Ｈｚ）である。タッチレポートレートが高いほどタッチ入力軌跡の連続性を高めることができ使用者が感じるタッチ感度を高めることができる。このようなタッチレポートレートはタッチスクリーン内の全てのタッチセンサをセンシングするのに必要な全てのセンシング時間に反比例する。すなわち、全てのセンシング時間が長くなればタッチレポートレートは減少される。従って、特許文献１に開示されたセルフキャパシタンス方式のタッチスクリーンはタッチレポートレートを充分に高めることができない。
【０００６】
また、従来のタッチスクリーンはゴーストポイントをタッチ入力に誤認識しやすくて瞬間的に発生されたノイズがセンシングタイミングと同期されればそのノイズをタッチ入力で認識するなどセンシング感度の低い問題がある。使用者が感じるタッチ感度を向上するにはタッチレポートレート向上、センシング感度向上などタッチスクリーンの性能改善が成らなければならない。例えば、従来のタッチスクリーンはタッチスクリーン上でラインドローイング(line drawing)やドラッギング(dragging)する時線形性(linearity)が落ちる。
【０００７】
また、従来のタッチスクリーンはタッチ(または近接)入力有無に拘わらず全てのタッチセンサを繰り返しセンシングするのでその消費電力を減らしにくい。
【先行技術文献】
【特許文献】
【０００８】
【特許文献１】アメリカ公開特許ＵＳ２０１０／０２００３１０（２０１０年８月１２日公開)
【発明の概要】
【発明が解決しようとする課題】
【０００９】
本発明の目的は、タッチスクリーンの性能を改善することができるタッチセンサ装置を提供することにある。
【課題を解決するための手段】
【００１０】
前記課題を解決するために、本発明のタッチセンサ装置はＴｘライン、前記Ｔｘラインと交差するＲｘライン、及び前記Ｔｘラインと前記Ｒｘラインの間に形成されたタッチセンサを含むタッチスクリーンと、１次センシングステップで前記タッチスクリーン内の全てのタッチセンサを１次センシングしてタッチ入力有無を検出した後、２次センシングステップから１次センシング結果タッチ入力が検出されたタッチセンサを２次センシングして前記タッチ入力の位置を検出するタッチスクリーン駆動回路を含む。
【００１１】
前記タッチスクリーン駆動回路は１次センシング結果タッチ入力が検出されたタッチセンサがなければ前記１次センシングステップを繰り返す。
【発明の効果】
【００１２】
本発明によれば、タッチスクリーンの全てのセンシング時間を短縮し、タッチレポートレートを高めることができる。さらに、本発明はタッチスクリーンに加えられるノイズの影響を減らし、タッチ誤入力を検証してタッチ感度を高めることができる。本発明によれば、１次ブロックセンシングに従ってタッチ(または近接)入力が検出されない場合、所定の待機モード時間の間タッチスクリーン駆動回路の消費電力を最小に制御する。
【００１３】
本発明はタッチ(または近接)入力位置に従ってパーシャルセンシング領域１００を拡張する。その結果、本発明はパーシャルセンシングステップでタッチ(または近接)入力領域の中心点がシフトされる現象を最小化してブロックの間境界でもタッチ入力位置を正確に検出することができる。
【図面の簡単な説明】
【００１４】
【図１】本発明の実施の形態に係る表示装置を示すブロック図である。
【図２】図１からタッチスクリーンの一部を拡大して電極パターンを詳しく示す平面図である。
【図３】タッチスクリーンと表示パネルの多様な組合を示す図である。
【図４】タッチスクリーンと表示パネルの多様な組合を示す図である。
【図５】タッチスクリーンと表示パネルの多様な組合を示す図である。
【図６】本発明のＲＯ ＩＣ回路構成を示すブロック図である。
【図７】本発明の第１実施の形態に係るタッチセンサ装置の駆動方法を示すフローチャートである。
【図８】ブロックセンシング時間とパーシャルセンシング時間を示す図である。
【図９】ブロックセンシング時間とパーシャルセンシング時間を示す図である。
【図１０】タッチスクリーンが二つ以上のＴｘブロックに分割駆動される場合におけるブロックセンシング方法とパーシャルセンシング方法を示す図である。
【図１１】タッチスクリーンが二つ以上のＴｘブロックに分割駆動される場合におけるブロックセンシング方法とパーシャルセンシング方法を示す図である。
【図１２】タッチスクリーンが二つ以上のＴｘブロックに分割駆動される場合におけるブロックセンシング方法とパーシャルセンシング方法を示す図である。
【図１３】ブロックセンシング結果シングルタッチ入力が検出された場合におけるＴｘラインに供給される駆動信号を示す波形図である。
【図１４】ブロックセンシング結果複数のＴｘブロックにマルチタッチ入力が検出された場合におけるブロックセンシング方法とパーシャルセンシング方法を示す図である。
【図１５】ブロックセンシング結果マルチタッチ入力が検出される場合におけるＴｘラインに供給される駆動信号を示す波形図である。
【図１６】隣接するブロックの間の境界にタッチ入力が発生された場合におけるブロックセンシング方法とパーシャルセンシング方法を示す図である。
【図１７】図１６のような場合にＴｘラインに供給される駆動信号を示す波形図である。
【図１８】タッチスクリーンが二つ以上のＲｘブロックに分割駆動される場合におけるブロックセンシング方法とパーシャルセンシング方法を示す図である。
【図１９】タッチスクリーンが二つ以上のＲｘブロックに分割駆動される場合におけるブロックセンシング方法とパーシャルセンシング方法を示す図である。
【図２０】タッチスクリーンが二つ以上のＲｘブロックに分割駆動される場合におけるブロックセンシング方法とパーシャルセンシング方法を示す図である。
【図２１】タッチスクリーンが二つ以上のＲｘブロックに分割駆動される場合におけるブロックセンシング方法とパーシャルセンシング方法を示す図である。
【図２２】タッチスクリーンが二つ以上のＲｘブロックに分割駆動される場合におけるブロックセンシング方法とパーシャルセンシング方法を示す図である。
【図２３】本発明の第２実施の形態に係るタッチセンサ装置の駆動方法でタッチ感度が改善する効果を示す図である。
【図２４】本発明の第２実施の形態に係るタッチセンサ装置の駆動方法を示すフローチャートである。
【図２５】本発明の第２実施の形態に係るタッチセンサ装置の駆動方法を具現するためのＲｘ駆動回路のサンプリング回路とアナログ-デジタル変換器を示す回路図である。
【図２６】図２５に示されたスイッチ（Ｓ１１、Ｓ１２、Ｓ１１’ 、Ｓ１２’）がターンオンされる時サンプリング回路の等価回路図である。
【図２７】図２５に示されたスイッチ（Ｓ２１、Ｓ２２、Ｓ２１’、Ｓ２２’）がターンオンされる時サンプリング回路の等価回路図である。
【図２８】本発明の第３実施の形態に係るタッチセンサ装置の駆動方法を示すフローチャートである。
【図２９】プリーセンシング方法を示す波形図である。
【図３０】本発明の第３実施の形態に係るタッチセンサ装置の駆動方法でタッチ感度が改善する効果を示す図である。
【図３１】本発明の第３実施の形態に係るタッチセンサ装置の駆動方法を詳しく示すフローチャートである。
【図３２】本発明の第４実施の形態に係るタッチセンサ装置の駆動方法を示すフローチャートである。
【図３３】本発明の第４実施の形態に係るタッチセンサ装置の駆動方法においてブロックセンシング期間とパーシャルセンシング期間を示す図である。
【図３４】本発明の第４実施の形態に係るタッチセンサ装置の駆動方法においてブロックセンシング期間とパーシャルセンシング期間を示す図である。
【図３５】１次ブロック分割方法の一例を示す図である。
【図３６】図３５のような１次ブロックの中でタッチ入力が検出された１次ブロック内で分割された２次ブロックの一例を示す図である。
【図３７】図３６のような２次ブロックの中でタッチ入力が検出された２次ブロック内で実施されるパーシャルセンシング方法を示す図である。
【図３８】図３５乃至図３８のような場合にブロックセンシング方法とパーシャルセンシング方法を示す波形図である。
【図３９】図３５のような１次ブロックの中で２個のブロックにタッチ入力が発生されたマルチタッチ入力の一例を示す図である。
【図４０】図３９のようなマルチタッチ入力でブロックセンシング方法とパーシャルセンシング方法を示す波形図である。
【図４１】１次ブロック分割方法の他の例を示す図である。
【図４２】図４１のような１次ブロックの中でタッチ入力が検出された１次ブロック内で分割された２次ブロックの一例を示す図である。
【図４３】図４２のような２次ブロックの中でタッチ入力が検出された２次ブロック内で分割された３次ブロックの一例を示す図である。
【図４４】図４１乃至図４３のような場合にブロックセンシング方法とパーシャルセンシング方法を示す波形図である。
【図４５】パーシャルセンシングステップからブロック内のタッチセンサのみをセンシングする例を示す図である。
【図４６】図４５のようなパーシャルセンシング方法でタッチスクリーンに印加される駆動パルスを示す波形図である。
【図４７】図４５のようなパーシャルセンシング方法におけるタッチ入力の中心点シフト現象を示す図である。
【図４８】本発明の第５実施の形態に係るタッチセンサ装置の駆動方法でパーシャルセンシング領域が拡張される事例（ＣＡＳＥ１）を示す図である。
【図４９】図４８のようなパーシャルセンシング方法でタッチスクリーンに印加される駆動パルスを示す波形図である。
【図５０】本発明の第５実施の形態に係るタッチセンサ装置の駆動方法でパーシャルセンシング領域が拡張される他の例（ＣＡＳＥ２）を示す図である。
【図５１】図５０のようなパーシャルセンシング方法でタッチスクリーンに印加される駆動パルスを示す波形図である。
【図５２】本発明の第５実施の形態に係るタッチセンサ装置の駆動方法でパーシャルセンシング領域が拡張されるまた他の例(ＣＡＳＥ３)を示す図である。
【図５３】図５２のようなパーシャルセンシング方法でタッチスクリーンに印加される駆動パルスを示す波形図である。
【図５４】本発明の第５実施の形態に係るタッチセンサ装置の駆動方法でパーシャルセンシング領域が拡張されるまた他の例（ＣＡＳＥ４）を示す図である。
【図５５】図５４のようなパーシャルセンシング方法でタッチスクリーンに印加される駆動パルスを示す波形図である。
【図５６】本発明の第５実施の形態に係るタッチセンサ装置の駆動方法でパーシャルセンシング領域が拡張されるまた他の例(ＣＡＳＥ５)を示す図である。
【図５７】図５６のようなパーシャルセンシング方法でタッチスクリーンに印加される駆動パルスを示す波形図である。
【発明を実施するための形態】
【００１５】
以下、添付された図面を参照して、本発明に係る望ましい実施の形態を詳しく説明する。明細書全体にかけて同一である参照番号は実質的に同一である構成要素を意味する。以下の説明で、本発明と係わる公知機能あるいは構成に対する具体的な説明が本発明の要旨に無関係であると判断される場合、その詳細な説明を省略する。
【００１６】
相互容量(mutual capacitance) 方式のタッチスクリーンはＴｘライン、Ｔｘラインと交差されるＲｘライン、及びＴｘラインとＲｘラインの間に形成されたタッチセンサを含む。タッチセンサそれぞれはＴｘラインとＲｘラインの間に形成された相互容量を有する。タッチセンサ装置はタッチ(または近接)前後のタッチセンサに充電された電圧の変化を感知して伝導性物質のタッチ(または近接)可否とその位置を判断する。相互容量方式のタッチスクリーンはＴｘラインに駆動信号を供給しその駆動信号に同期してＲｘラインを通じてタッチセンサそれぞれの容量変化を個別センシングする。このような相互容量方式のタッチスクリーンで、駆動信号が印加されるＴｘラインとタッチセンサをセンシングするＲｘラインが互いに分離している。駆動信号は図面で便宜上駆動信号形態の駆動信号に例示されたがここに限定されない。例えば、駆動信号は球形派形態のパルス、正弦波、三角波など多様な形態に発生されることができる。このようなセンシング方式に従って相互容量方式のタッチスクリーンはタッチセンサそれぞれでタッチ前後の電圧変化を感知することができるのでゴーストポイントなしにマルチタッチ状況でタッチ(または近接)入力それぞれを正確に認識することができる。
【００１７】
図１及び図２を参照すれば、本発明の実施の形態に係る表示装置は表示パネル（ＤＩＳ）、ディスプレイ駆動回路、及びタッチセンサ装置を含む。タッチセンサ装置はタッチスクリーン（ＴＳＰ）と、タッチスクリーン駆動回路を含む。
【００１８】
本発明の表示装置は液晶表示素子(Liquid Crystal Display、ＬＣＤ)、電界放出表示素子(Field Emission Display : ＦＥＤ)、プラズマディスプレイパネル(Plasma Display Panel、 ＰＤＰ)、有機発光ダイオード表示装置(Organic Light Emitting Display、ＯＬＥＤ)、電気泳動表示素子（Electrophoresis、ＥＰＤ）などの平板表示素子を用いて構成することができる。以下の実施の形態で、平板表示素子の一例として表示装置を液晶表示素子中心に説明するが、本発明の表示装置は液晶表示素子に限定されないということに注意されたい。
【００１９】
表示パネル（ＤＩＳ）は二枚のガラス基板の間に液晶層が形成される。表示パネル（ＤＩＳ）の下部基板には複数のデータライン（Ｄ１〜Ｄｍ、ｍは正の整数）、データライン（Ｄ１〜Ｄｍ）と交差される複数のゲートライン（Ｇ１〜Ｇｎ、ｎは正の整数）、データライン（Ｄ１〜Ｄｍ）とゲートライン（Ｇ１〜Ｇｎ）の交差部に形成される複数のＴＦＴ(Thin Film Transistor)、液晶セルにデータ電圧を充電させるための複数の画素電極、画素電極に接続され液晶セルの電圧を維持させるためのストレージ キャパシター(Storage Capacitor)等を含む。
【００２０】
表示パネル（ＤＩＳ）のピクセルはデータライン（Ｄ１〜Ｄｍ）とゲートライン（Ｇ１〜Ｇｎ）に従って定義されたピクセル領域に形成されマトリックス形態に配置される。ピクセルのそれぞれの液晶セルは画素電極に印加されるデータ電圧と共通電極に印加される共通電圧の電圧差に従って印加される電界に従って駆動され、入射光の透過量を調節する。ＴＦＴはゲートライン（Ｇ１〜Ｇｎ）からのゲートパルスに応答しターン-オンされ、データライン（Ｄ１〜Ｄｍ）からの電圧を液晶セルの画素電極に供給する。
【００２１】
表示パネル（ＤＩＳ）の上部基板にはブラックマットリックス、カラーフィルタ等を含むことができる。表示パネル（ＤＩＳ）の下部基板はＣＯＴ(Color filter On TFT)構造にて構成可能である。この場合、ブラックマットリックスとカラーフィルタは表示パネル（ＤＩＳ）の下部基板に形成可能である。
【００２２】
表示パネル（ＤＩＳ）の上部基板と下部基板それぞれには偏光板が附着し液晶と接する内面に液晶のプレチルト角を設定するための配向膜が形成される。表示パネル（ＤＩＳ）の上部基板と下部基板の間には液晶セルのセルギャップ(Cell gap)を維持するためのカラムスペーサーが形成される。
【００２３】
表示パネル（ＤＩＳ）の背面にはバックライトユニットが配置されることができる。バックライトユニットはエッジ型(edge type)または直下型(Direct type)バックライトユニットに具現され表示パネル（ＤＩＳ）に光を照射する。表示パネル（ＤＩＳ）は、ＴＮ(Twisted Nematic)モード、ＶＡ(Vertical Alignment)モード、ＩＰＳ(In Plane Switching)モード、ＦＦＳ(Fringe Field Switching)モードなど公知のどのような液晶モードを用いて構成可能である。
【００２４】
ディスプレイ駆動回路はデータ駆動回路１２、スキャン駆動回路１４、及びタイミングコントローラ２０を含み、入力映像のビデオデータをピクセルに出力する。
【００２５】
データ駆動回路１２はタイミングコントローラ２０から入力されるデジタルビデオデータ（ＲＧＢ）をアナログ正極性/負極性ガンマ補償電圧に変換し、データ電圧を出力する。データ電圧はデータライン（Ｄ１〜Ｄｍ）に供給される。スキャン駆動回路１４はデータ電圧に同期されるゲートパルス(またはスキャンパルス)をゲートライン（Ｇ１〜Ｇｎ）に順次供給し、データが記入される表示パネル（ＤＩＳ）のラインを選択する。
【００２６】
タイミングコントローラ２０は外部のホストシステムから入力される垂直同期信号（Ｖｓｙｎｃ）、水平同期信号（Ｈｓｙｎｃ）、データイネーブル信号(Data Enable、ＤＥ)、メインクロック（ＭＣＬＫ）等のタイミング信号を入力する。タイミングコントローラ２０はデータ駆動回路１２とスキャン駆動回路１４の動作タイミングを制御するためのスキャンタイミング制御信号とデータタイミング制御信号を発生する。スキャンタイミング制御信号はゲートスタートパルス(Gate Start Pulse、ＧＳＰ)、ゲートシフトクロック(Gate Shift Clock)、ゲート出力イネーブル信号(Gate Output Enable、ＧＯＥ) などを含む。データタイミング制御信号はソースサンプリングクロック(Source Sampling Clock、ＳＳＣ)、極性制御信号(ＰＯＬarity、ＰＯＬ)、ソース出力イネーブル信号(Source Output Enable、ＳＯＥ)等を含む。
【００２７】
タッチスクリーン（ＴＳＰ）は図３のように表示パネル（ＤＩＳ）の上部偏光板(ＰＯＬ1)上に接合され、若しくは、図４のように上部偏光板(ＰＯＬ1)と上部ガラス基板（ＧＬＳ１）の間に形成可能である。また、タッチスクリーン（ＴＳＰ）のタッチセンサ（ＴＳＮ）は図５のように表示パネル（ＤＩＳ）内でピクセルアレイとともに画素内(In-cell)タイプで下部基板に内蔵することもできる。図３乃至図５で“ＰＩＸ”は液晶セルの画素電極、“ＧＬＳ２”は下部基板、”ＰＯＬ２”は下部偏光板をそれぞれ意味する。
【００２８】
タッチスクリーン（ＴＳＰ）はＴｘライン(Ｔ１〜Ｔｊ、ｊは nより小さな正の整数)、Ｔｘライン(Ｔ１〜Ｔｊ)と交差するＲｘライン(Ｒ１〜Ｒｉ、ｉはmより小さな正の整数)、及びＴｘライン(Ｔ１〜Ｔｊ)とＲｘライン(Ｒ１〜Ｒｉ)の間に形成されたi×j個のタッチセンサ（Ｃｍ）を含む。タッチセンサ（Ｃｍ）それぞれは相互容量を有する。
【００２９】
タッチスクリーン駆動回路はＴｘ駆動回路３２、Ｒｘ駆動回路３４、タッチスクリーンタイミングコントローラ(以下”ＴＳＰタイミングコントローラ”と称する、３６)、及びタッチ認識プロセッサ３０を含む。タッチスクリーン駆動回路、Ｔｘライン(Ｔ１〜Ｔｊ)に駆動信号を供給し、その駆動信号と同期してＲｘライン(Ｒ１〜Ｒｉ)を通じてタッチセンサの電圧をセンシングする。Ｔｘ駆動回路３２、Ｒｘ駆動回路３４及びＴＳＰタイミングコントローラ３６は図６のように一つのＲＯＩＣ(Read-out ＩＣ、４０)内に集積されることができる。タッチ認識プロセッサ３０もＲＯＩＣ４０内に集積されることができる。
【００３０】
タッチスクリーン駆動回路は１次センシングステップからタッチスクリーン（ＴＳＰ）内の全てのタッチセンサを１次センシングした後に、２次センシングステップから１次センシング結果タッチ入力が検出されたタッチセンサのみを２次センシングしタッチ入力位置を検出する。１次センシングステップはブロックセンシング方法またはプリーセンシング方法を利用しタッチスクリーン（ＴＳＰ）のタッチセンサをスキャニングする。２次センシングステップは１次センシングでタッチ入力が検出されたタッチセンサのみを再度精緻にセンシングするパーシャルセンシング方法を利用する。１次センシングステップはタッチ入力が検出されない場合、１回以上繰り返されることができる。
【００３１】
タッチスクリーン駆動回路、１次ブロックセンシングステップからタッチ入力の位置を中心にＴｘブロックの大きさを徐々に小さく調節しながらブロックセンシングを２回以上繰り返すことができる。ここで、１次センシングステップからブロックサイズを減少しながらセンシングを繰り返す理由はタッチ入力の正誤を検証し消費電力を減らすためである。
【００３２】
Ｔｘ駆動回路３２はＴＳＰタイミングコントローラ３６から入力されたセットアップ信号(図６のＳＵＴｘ)に応答して駆動信号が供給されるＴｘラインを選択し、選択されたＴｘライン(Ｔ１〜Ｔｊ)に駆動信号を供給する。本発明はタッチセンサ（ＴＳＮ）の電圧をＮ（Ｎは２以上の正の整数)回繰り返し累積してＲｘ駆動回路３４のサンプリングキャパシターに充電することでタッチ前後のタッチセンサの電圧変化を大きくできる。これのために、Ｔｘライン(Ｔ１〜Ｔｊ)それぞれに印加される駆動信号は所定時間間隔に発生されるＮ個の駆動信号を含むことができる。一つのＴｘラインにタッチセンサがｊ個接続されている場合、Ｎ個の駆動信号を含む駆動信号がj回連続でＴｘラインに供給された後に、次Ｔｘラインにも同じ方式で駆動信号が供給される。
【００３３】
Ｒｘ駆動回路３４はＴＳＰタイミングコントローラ３６から入力されたＲｘセットアップ信号（図６のＳＵＲｘ）に応答してタッチセンサ電圧を受信するＲｘラインを選択する。Ｒｘ駆動回路３４は選択されたＲｘラインを通じてタッチセンサの電圧を受信しサンプリングする。Ｒｘ駆動回路３４はアナログ-デジタル変換器を利用しサンプリングした電圧をデジタルデータに変換してタッチ元のデータ(touch raw data、図６のＴＤａｔａ)を出力する。タッチ元のデータ（ＴＤａｔａ）はタッチ認識プロセッサ３０に伝送される。
【００３４】
ＴＳＰタイミングコントローラ３６はＩ２Ｃバス、ＳＰＩ(serial peripheral interface)、システムバス(System bus)などのインターフェースを通じてＴｘ駆動回路３２とＲｘ駆動回路３４に接続されＴｘ駆動回路３２とＲｘ駆動回路３４の動作タイミングを同期させる。ＴＳＰタイミングコントローラ３６はＴｘ駆動回路３２とＲｘ駆動回路３４のＴｘ／Ｒｘチャンネルセットアップ、Ｒｘ駆動回路３４のサンプリングタイミング、Ｒｘ駆動回路３４のＡＤＣタイミングなどを制御する。ＴＳＰタイミングコントローラ３６はＴｘ駆動回路３２とＲｘ駆動回路３４のＴｘ／Ｒｘチャンネルセットアップと動作タイミングを制御するために必要な制御信号を発生する。
【００３５】
タッチ認識プロセッサ３０はＲｘ駆動回路３４から入力されるタッチ元のデータをあらかじめ設定されたタッチ認識アルゴリズムに分析する。タッチ認識アルゴリズムはタッチ元のデータと所定のしきい値を比べてしきい値以上のタッチ元のデータをタッチ(または近接)入力データで推正し、そのタッチ(または近接)入力の位置に対する座標を計算する。タッチ認識アルゴリズムは相互容量方式のタッチスクリーンに適用可能な公知のどんなアルゴリズムでも適用されることができる。タッチ認識プロセッサ３０はタッチ認識アルゴリズムの演算結果で得られたタッチ(または近接)入力位置の座標情報を含む座標データ（Ｈ  ＩＤｘｙ）を外部のホストシステムに伝送される。タッチ認識プロセッサ３０はタッチ認識アルゴリズムの計算結果とタッチ座標データを貯蔵するバッファーメモリーを含むことができる。タッチ認識プロセッサ３０はMCU(Micro Controller Unit、MCU)を用いて構成可能である。
【００３６】
ホストシステムは外部ビデオソース機器例えば、ナビゲーションシステム、セットトップボックス、ＤＶＤプレーヤー、ブルーレイプレーヤー、パソコン（ＰＣ）、ホームシアターシステム、放送受信機、ホンシステム(Phone system)などに接続されてその外部ビデオソース機器から映像データを入力可能である。ホストシステムは外部ビデオソース機器からの映像データを表示パネル（ＤＩＳ）に表示するのに適合なフォーマットに変換する。また、ホストシステムはタッチ認識プロセッサ３０から入力される座標データと連携された応用プログラムを行う。
【００３７】
本発明のタッチセンサ装置の駆動方法は１次センシング方法でブロックセンシング方法を利用する時タッチスクリーン（ＴＳＰ）のタッチセンサを２個以上のブロックで分割し、ブロックセンシング(Block sensing)方法を利用してブロック単位でタッチ(または近接)入力有無を早く判断することができる。次に、本発明のタッチスクリーンセンシング方法はタッチ(または近接)入力が検出されたブロックに限ってパーシャルセンシング(Partial sensing)方法を適用してそのブロック内でタッチ入力位置を精緻にセンシングすることができる。従って、本発明のタッチスクリーンセンシング方法はタッチスクリーンの全てのセンシング時間を減らしタッチレポートレートを高めることができることは勿論、センシング感度を高めることも可能である。
【００３８】
以下、図７乃至図２４を参照しながら、ブロックセンシング方法とパーシャルセンシング方法を一緒に適用したタッチセンサ装置の駆動方法を説明する。
【００３９】
タッチスクリーン（ＴＳＰ）はｘ軸方向及び/またはｙ軸方向(図１及び図２参照)に沿って仮想のＴｘ／Ｒｘブロックに分割され、それぞれのブロックは２以上のＴｘラインと２以上のＲｘラインと、複数のタッチセンサを含む。
【００４０】
タッチスクリーン駆動回路は図７乃至図２４のようにタッチスクリーン（ＴＳＰ）のタッチセンサを１次スキャニングしてブロック単位でタッチセンサをセンシングした後に、２次スキャニングでタッチ(または近接)入力が検出されたブロックに限ってそのブロック内のタッチセンサをパーシャルセンシング(または２次スキャニング)してタッチ位置を精密に検出する。ブロックセンシング期間は従来技術における１ラインのセンシング時間に過ぎない。従って、本発明のタッチスクリーン駆動装置はタッチスクリーン内の全てのタッチセンサをセンシングするのに必要な全てのセンシング時間を短縮することができる。また、ブロックセンシングステップとパーシャルセンシングステップを通じてタッチ(または近接)入力位置を毎フレーム期間ごとに２回以上センシングしてタッチセンシング正確度を高めタッチセンサの感度を高めることができる。
【００４１】
Ｔｘ駆動回路３２はＴＳＰタイミングコントローラ３６の制御の下にブロックセンシング期間の間Ｔｘブロック単位でＴｘライン(Ｔ１〜Ｔｊ)に駆動信号を印加し、パーシャルセンシング期間の間タッチ(または近接)が検出されたＴｘブロック内に存在するＴｘライン(Ｔ１〜Ｔｊ)にだけ駆動信号を供給する。
【００４２】
Ｒｘ駆動回路３４はＴＳＰタイミングコントローラ３６の制御の下にブロックセンシング期間の間タッチ認識プロセッサ３０の制御の下にＲｘブロック単位でＲｘライン(Ｒ１〜Ｒｉ)を通じてタッチセンサの電圧を同時にセンシングしてデジタルデータに変換した後、パーシャルセンシング期間の間ブロックセンシング結果タッチ(または近接)入力が検出されたＲｘブロックに限ってそのブロック内のＲｘラインを通じて受信されるタッチセンサの電圧を順次にサンプリング及びデジタル変換することもできる。ＲｘブロックはＧ（Ｇは２以上ｉ／２より小さな正の整数)個のＲｘラインを含む。
【００４３】
従来技術で、Ｔｘ駆動回路は駆動信号をＴｘラインに順次供給した。これに比べて、本発明はブロックセンシングステップを通じてＴｘ駆動時間を大幅に減らしパーシャルセンシングステップを通じてタッチ誤認識を防止することができる。
【００４４】
Ｔｘ駆動回路３２はＴＳＰタイミングコントローラ３６から入力されたセットアップ信号（ＳＵＴｘ）に応答しブロックセンシング期間の間Ｔｘラインをブロック単位で選択して、パーシャルセンシング期間の間Ｔｘラインをライン単位で選択する。そしてＴｘ駆動回路３２はＴｘセットアップ信号に従って選択されたＴｘライン(Ｔ１〜Ｔｊ)に駆動信号を供給する。タッチセンサ（ＴＳＮ）の電圧をＮ回繰り返し累積してサンプリングキャパシター の充電量を高めるために、図１３、図１５などのようにＴｘライン(Ｔ１〜Ｔｊ)それぞれに印加される駆動信号は所定時間間隔で連続に発生されるＮ個の駆動信号を含むことができる。一つのＴｘラインにタッチセンサがｊ個接続されていたら、Ｎ個の駆動信号を含む駆動信号がｊ回連続でＴｘラインに供給された後に、次のＴｘラインにも同じ方式で駆動信号たちが供給される。
【００４５】
従来技術では、Ｒｘ駆動回路は一つのＴｘラインに接続されたタッチセンサをセンシングする時タッチセンサの電圧を一つずつ順次にサンプリングしデジタル変換する。これに比べて、本発明のＲｘ駆動回路３４はブロックセンシングステップを通じてタッチセンサ電圧の受信及びサンプリング時間を大幅に短縮することができる。
【００４６】
Ｒｘ駆動回路３４はＴＳＰタイミングコントローラ３６から入力されたセットアップ信号（ＳＵＲｘ）に応答しタッチセンサ電圧を受信するＲｘライン(Ｒ１〜Ｒｉ)を選択する。Ｒｘ駆動回路３４はセットアップ信号（ＳＵＲｘ）に従って選択されたＲｘラインを通じてタッチセンサ電圧を受信してサンプリングする。
【００４７】
Ｒｘ駆動回路３４はブロックセンシング期間の間Ｒｘブロック単位でＲｘライン(Ｒ１〜Ｒｉ)を通じてタッチセンサの電圧を同時に受信しサンプリングしてデジタルデータに変換することができる。Ｒｘ駆動回路３４はブロックセンシング結果タッチ(または近接)入力が検出されたＲｘブロックに限ってそのＲｘブロック内のＲｘラインを通じてタッチセンサの電圧を順次受信しサンプリングしてデジタルデータに変換することもできる。Ｒｘ駆動回路３４から出力されたデジタルデータはタッチ元のデータ（ＴＤａｔａ）としてタッチ認識プロセッサ３０に伝送される。
【００４８】
タッチ認識プロセッサ３０はタッチ認識アルゴリズムを行ってブロックセンシング結果得られたタッチ元のデータ（ＴＤａｔａ）を分析しタッチ前後にタッチセンサ電圧の変化値が所定のしきい値以上に大きいデータをタッチ(または近接)入力位置のデータで判断してタッチ(または近接)入力有無を判断することができる。タッチ認識プロセッサ３０はブロックセンシング結果タッチ(または近接)入力が検出されればＴｘ駆動回路３２とＲｘ駆動回路３４をパーシャルセンシングステップで制御する。タッチ認識プロセッサ３０はパーシャルセンシングステップを遂行しブロックセンシングステップでタッチ(または近接)入力が検出されたブロックに限ってタッチセンサを精密センシングして得られたタッチ元のデータ（ＴＤａｔａ）を分析する。タッチ認識プロセッサ３０はタッチ認識アルゴリズムを行ってパーシャルセンシング結果タッチ前後の変化量が所定のしきい値以上に大きいデータを実際タッチ(または近接)入力位置のタッチセンサから得られたデータで判断してそのタッチセンサに対する座標値を推正する。タッチ認識プロセッサ３０はブロックセンシングステップとパーシャルセンシングステップですべてタッチ(または近接)入力で検出されたタッチセンサの座標情報を含む最終タッチ座標データをホストシステムに伝送する。
【００４９】
タッチ認識プロセッサ３０はブロックセンシングステップでタッチ(または近接)入力が検出されなければパーシャルセンシングステップに移行しないでブロックセンシングステップを繰り返す。従って、タッチ認識プロセッサ３０はブロックセンシング結果に従って選択的にパーシャルセンシングステップを省略してタッチ感度低下なしにタッチスクリーンの全てのセンシング時間を減らすことができる。
【００５０】
図７乃至図１０を参照すれば、ブロックセンシングステップはブロック単位でタッチセンサをセンシングして、第１センシング時間（ＴＢ）の間、タッチスクリーン（ＴＳＰ）内の全てのタッチセンサをセンシングする。ブロックセンシングステップ（Ｓ７１）は第Ｉ（Ｉは正の整数)ブロック内に存在するＴｘラインに駆動信号を同時に供給し第Ｉブロック内に存在する全てのタッチセンサの電圧を同時にセンシングする。続いて、ブロックセンシングステップは第Ｉ＋１ブロック内に存在するＴｘラインに駆動信号を同時に印加し第Ｉ＋１ブロック内に存在する全てのタッチセンサの電圧を同時にセンシングする。第１センシング時間は図１３及び図１５のように１ブロック内の全てのＴｘラインに駆動信号が同時に供給されるので従来技術でタッチスクリーンの１ラインセンシングに必要な時間に過ぎない。
【００５１】
タッチスクリーン駆動回路、ブロックセンシング結果タッチ(または近接)入力が検出されると、パーシャルセンシングステップに移行し第２センシング時間（ＴＰ）間タッチ(または近接)入力が検出されたブロック内のＴｘラインに駆動信号をライン別に順次供給してそのブロック内に存在するタッチセンサの電圧を精密にセンシングすることでタッチ(または近接)入力位置を精密に検出する（Ｓ７２及びＳ７３）。第２センシング時間（ＴＰ）はタッチ(または近接)入力が検出されたブロックの個数によって変わる。
【００５２】
ブロックセンシングステップでタッチ(または近接)入力が検出された場合にだけ、図８のようにブロックセンシングステップ以後にパーシャルセンシングステップに移行される。反面、ブロックセンシングステップで何らのタッチ(または近接)入力が検出されなければ、図９のようにブロックセンシングステップ以後にまたブロックセンシングステップが実行される。
【００５３】
タッチスクリーン駆動回路の消費電力を減らすために、図９からブロックセンシングステップが繰り返される時次ブロックセンシングステップに移行する前に所定時間の間Ｔｘ駆動回路３２、Ｒｘ駆動回路３４、及びＴＳＰタイミングコントローラ３６をディスエイブル(disable)させ、その動作を停止させることができる。
【００５４】
タッチスクリーン（ＴＳＰ）の全てのタッチセンサをセンシングするのに必要である全てのセンシング時間(Ttotal)は図８及び図９のように第１センシング時間（ＴＢ）と第２センシング時間（ＴＰ）を合わせた時間である。ブロックセンシング結果、タッチ(または近接)入力がいくつかのブロックで検出されれば、すなわち、マルチタッチ(または近接)入力が検出されればそのブロックに対してパーシャルセンシングが実行される。従って、図８のようにブロックセンシングに必要な第１センシング時間（ＴＢ）は固定され、一方において、ブロックセンシングの結果、マルチタッチ(または近接)が検出されれば第２センシング時間（ＴＰ）が長くなるのでパーシャルセンシングに必要な第２センシング時間（ＴＰ）は変更可能である。
【００５５】
図１０乃至図１２はタッチスクリーン（ＴＳＰ）が y軸に付いて複数のＴｘブロックに分割駆動される場合にブロックセンシングステップとパーシャルセンシングステップを示す図である。ここで、ｙ軸は図１及び図２のようにＲｘラインの長軸方向と平行である。
【００５６】
タッチスクリーン（ＴＳＰ）は図１０のように第１及び第２Ｔｘブロック（Ｂ１、Ｂ２）に分割可能である。この場合、タッチスクリーン駆動回路はブロックセンシングステップで第１Ｔｘブロック（Ｂ１）内の全てのＴｘラインに駆動信号を同時に供給した後、第２Ｔｘブロック（Ｂ２）内の全てのＴｘラインに駆動信号を同時に供給し、Ｔｘブロック単位でタッチ(または近接)入力有無を検出する。タッチスクリーン駆動回路はブロックセンシング結果第１Ｔｘブロック（Ｂ１）内でタッチ(または近接)入力が検出されれば、パーシャルセンシングステップに移行する。タッチスクリーン駆動回路はパーシャルセンシングステップで第１Ｔｘブロック（Ｂ１）内のＴｘラインに駆動信号を順次供給し第１Ｔｘブロック（Ｂ１）内のタッチセンサを精密にセンシングし、その結果最終タッチ(または近接)入力位置を正確に検出する。ロックセンシングステップでタッチ(または近接)入力が検出されない第２Ｔｘブロック（Ｂ２）はパーシャルセンシングステップでセンシングされない。
【００５７】
タッチスクリーン（ＴＳＰ）は図１１のように第１乃至第３Ｔｘブロック（Ｂ１〜Ｂ３）に分割可能である。この場合、タッチスクリーン駆動回路はブロックセンシングステップで第１Ｔｘブロック（Ｂ１）内の全てのＴｘラインに駆動信号を同時に供給した後、第２Ｔｘブロック（Ｂ２）内の全てのＴｘラインに駆動信号を同時に供給しＴｘブロック単位でタッチ(または近接)入力有無を検出する。続いて、タッチスクリーン駆動回路は第３ブロック（Ｂ３）内の全てのＴｘラインに駆動信号を同時に供給し第３Ｔｘブロック内でタッチ(または近接)入力有無を検出する。タッチスクリーン駆動回路はブロックセンシング結果、第２Ｔｘブロック（Ｂ２）内でタッチ(または近接)入力が検出されれば、パーシャルセンシングステップに移行する。タッチスクリーン駆動回路はパーシャルセンシングステップで第２Ｔｘブロック（Ｂ２）内のＴｘラインに駆動信号を順次供給して第２Ｔｘブロック（Ｂ２）内のタッチセンサを精緻にセンシングし、その結果最終タッチ(または近接)入力位置を精密に検出する。ブロックセンシングの結果、タッチ(または近接)入力が検出されない制１及び第３Ｔｘブロック（Ｂ１、Ｂ３）はパーシャルセンシングステップでセンシングされない。
【００５８】
タッチスクリーン（ＴＳＰ）は図１２のように第１ないし第３Ｔｘブロック（Ｂ１〜Ｂ３）に分割可能である。この場合、タッチスクリーン駆動回路、ブロックセンシングステップで第１Ｔｘブロック（Ｂ１）内の全てのＴｘラインに駆動信号を同時に供給された後に、第２Ｔｘブロック（Ｂ２）内の全てのＴｘラインに駆動信号を同時に供給する。続いて、タッチスクリーン駆動回路は第３Ｔｘブロック（Ｂ３）内の全てのＴｘラインに駆動信号を同時に供給した後に、第４Ｔｘブロック（Ｂ４）内の全てのＴｘラインに駆動信号を同時に供給しＴｘブロック単位でタッチ(または近接)入力有無を検出する。タッチスクリーン駆動回路はブロックセンシングの結果、第２Ｔｘブロック（Ｂ２）内でタッチ(または近接)入力が検出されれば、パーシャルセンシングステップに移行する。タッチスクリーン駆動回路はパーシャルセンシングステップで第２Ｔｘブロック（Ｂ２）内の Ｔｘラインに駆動信号を順次供給して第２Ｔｘブロック（Ｂ２）内のタッチセンサを精密にセンシングし、その結果、最終タッチ(または近接)入力位置を精密に検出する。ブロックセンシング結果タッチ(または近接)入力が検出されない第１、第３及び第4Ｔｘブロック（Ｂ１、Ｂ３、Ｂ４）はパーシャルセンシングステップでセンシングされない。
【００５９】
図１３は図１２に示されるＴｘラインに供給される駆動信号を示す波形図である。
【００６０】
図１４はマルチタッチ(または近接)入力でブロックセンシングステップとパーシャルセンシングステップを示す図である。図１５は図１４に示されるＴｘラインに供給される駆動信号を示す波形図である。
【００６１】
図１４及び図１５を参照すれば、ブロックセンシングステップはＴｘブロック単位で駆動信号を印加しＴｘブロック単位でタッチ(または近接)入力有無を検出する。ブロックセンシング結果、第２及び第３Ｔｘブロック（Ｂ２、Ｂ３）それぞれでタッチ(または近接)入力が検出されれば、パーシャルセンシングステップが実行される。パーシャルセンシングステップは第２Ｔｘブロック（Ｂ２）内のＴｘラインに駆動信号を順次供給した後、第３Ｔｘブロック（Ｂ３）内のＴｘラインに駆動信号を順次供給し第２及び第３Ｔｘブロック（Ｂ２、Ｂ３）内でタッチセンサを精密にセンシングする。従って、ブロックセンシング結果、いくつかのブロックでタッチ(または近接)入力が検出されれば第２センシング時間（ＴＰ）が長くなり得る。パーシャルセンシングステップはブロックセンシングステップでタッチ(または近接)入力が検出されない第１及び第４ブロック（Ｂ１、Ｂ４）のタッチセンサをセンシングしない。
【００６２】
図１６及び図２２のように隣接するＴｘ／Ｒｘブロックの間の境界にタッチ(または近接)入力が検出されれば、パセルセンシング方法はタッチ(または近接)入力位置と近い隣接するTx/Ｒｘブロックに対して精密にセンシングする。図１７は図１６に示される場合においてＴｘラインに供給される駆動信号を示す波形図である。
【００６３】
図１６及び図１７を参照すれば、ブロックセンシング結果第１及び第２Ｔｘブロック（Ｂ１、Ｂ２）の間の境界でタッチ(または近接)入力が検出されれば、パーシャルセンシングステップが遂行される。パーシャルセンシングステップは第１Ｔｘブロック（Ｂ１）内のＴｘラインに駆動信号を順次供給した後第２Ｔｘブロック（Ｂ２）内のＴｘラインに駆動信号を順次供給して第１及び第２Ｔｘブロック（Ｂ２、Ｂ３）内でタッチセンサを精密にセンシングする。従って、ブロックセンシング結果ブロックの間の境界でタッチ(または近接)入力が検出されれば第２センシング時間（ＴＰ）が長くなり得る。パーシャルセンシングステップはブロックセンシングステップでタッチ(または近接)入力が検出されない第１及び第４ブロック（Ｂ１、Ｂ４）のタッチセンサをセンシングしない。
【００６４】
図１８乃至図２２はタッチスクリーン（ＴＳＰ）がｘ軸に沿って複数のＲｘブロック（Ｃ１〜Ｃ４）に分割駆動される場合にブロックセンシングステップとパーシャルセンシングステップを示す図である。ここで、ｘ軸は図１及び図２のようにＴｘラインの長軸方向と平行である。
【００６５】
図１８乃至図２２を参照すれば、タッチスクリーン駆動回路はブロックセンシングステップで前述のようにＴｘブロック単位で駆動信号をＴｘブロックに印加し第１乃至第４Ｒｘブロック単位でタッチセンサの電圧を受信してサンプリングし、サンプリングした電圧をデジタルデータに変換することができる。例えば、タッチスクリーン駆動回路、第１Ｔｘブロック（Ｂ１）のＴｘラインに第１駆動信号を同時に供給して第１Ｒｘブロック（Ｃ１）のＲｘラインを通じてタッチセンサの電圧を同時に受信した後に、第１ＴｘブロックのＴｘラインに第２駆動信号を同時に供給して第２Ｒｘブロック（Ｃ２）のＲｘラインを通じてタッチセンサの電圧を同時に受信することができる。次に、タッチスクリーン駆動回路、第１Ｔｘブロック（Ｂ１）のＴｘラインに第３駆動信号を同時に供給し第３Ｒｘブロック（Ｃ３）のＲｘラインを通じてタッチセンサの電圧を同時に受信した後に、第１ＴｘブロックのＴｘラインに第４駆動信号を同時に供給し、第４Ｒｘブロック（Ｃ４）のＲｘラインを通じてタッチセンサの電圧を同時に受信することができる。このような方法で第１Ｔｘブロック内の全てのタッチセンサがブロックセンシングステップでセンシングされ、次にＴｘブロックのタッチセンサがセンシングされる。
【００６６】
ブロックセンシングステップに従ってタッチ(または近接)入力が検出されると、タッチスクリーン駆動回路はパーシャルセンシングステップを実行する。タッチスクリーン駆動回路はパーシャルセンシングステップでブロックセンシング結果タッチ(または近接)入力が検出されたタッチセンサに接続されるＴｘブロックとＲｘブロックに限ってそのブロックが交差する領域内の全てのタッチセンサを精密にセンシングする。詳述すると、タッチスクリーン駆動回路はパーシャルセンシングステップからブロックセンシングの結果、タッチ(または近接)入力が検出されたＴｘブロックのＴｘラインに駆動信号を順次に印加し、ブロックセンシング結果タッチ(または近接)入力が検出されたＲｘブロックのＲｘラインを通じてタッチセンサ電圧を同時にまたは順次受信およびサンプリングし、サンプリングされた電圧をデジタルデータに変換する。タッチスクリーン駆動回路はパーシャルセンシングステップでブロックセンシングの結果、タッチ(または近接)入力が検出されないＴｘブロックには駆動信号を印加せず、また、ブロックセンシングステップに従ってタッチ(または近接)入力が検出されないＲｘブロックを通じてタッチセンサ電圧を受信しない。ブロックセンシング結果、全てのブロックでタッチ(または近接)入力が検出されなければ、パーシャルセンシングステップが遂行されないでブロックセンシングステップが再度実行される。
【００６７】
ブロックセンシングステップにおいて、図２1のように複数のＲｘブロック内でマルチタッチ(または近接)入力が検出されると、タッチスクリーン駆動回路はパーシャルセンシングステップでタッチ(または近接)入力が検出されたＴｘブロックそれぞれのＴｘラインに駆動信号を順次、印加する。そしてタッチスクリーン駆動回路はタッチ(または近接)入力がそれぞれ検出されたＲｘブロックそれぞれのＲｘラインを通じてタッチセンサ電圧を同時にまたは順次受信してサンプリングし、サンプリングされた電圧をデジタルデータに変換する。この場合にも、パーシャルセンシングステップはブロックセンシングステップに従ってタッチ(または近接)入力が検出されないＴｘブロックには駆動信号を印加しなくまた、ブロックセンシングステップに従ってタッチ(または近接)入力が検出されないＲｘブロックを通じてタッチセンサ電圧を受信しない。ブロックセンシング結果、全てのブロックでタッチ(または近接)入力が検出されなければ、パーシャルセンシングステップが実行されず、ブロックセンシングステップが再度実行される。
【００６８】
ブロックセンシングステップにおいて、図２２のように隣接するＲｘブロックの境界でタッチ(または近接)入力が検出されると、パーシャルセンシングステップはタッチ(または近接)入力が検出されたＴｘブロックのＴｘラインに駆動信号を順次、印加する。そしてタッチスクリーン駆動回路はタッチ(または近接)入力位置を境界で隣接するＲｘブロックのＲｘラインを通じてタッチセンサ電圧を同時にまたは順次受信してサンプリングしサンプリングされた電圧をデジタルデータに変換する。この場合にも、パーシャルセンシングステップはブロックセンシングステップに従ってタッチ(または近接)入力が検出されないＴｘブロックには駆動信号を印加せず、また、ブロックセンシングステップにおいてタッチ(または近接)入力が検出されないＲｘブロックを通じてタッチセンサ電圧を受信しない。ブロックセンシングの結果、全てのブロックでタッチ(または近接)入力が検出されなければ、パーシャルセンシングステップが実行されないでブロックセンシングステップが再度実行される。
【００６９】
本発明によれば、図２３に示されるようにブロックセンシングデータとパーシャルセンシングデータを合算した結果に基づいてタッチ前後のタッチセンサ電圧変化量がをきくすることができる。この場合、タッチ入力がない時のタッチ無信号とタッチ入力信号の電圧差が大きくなるのでタッチ感度をさらに改善することができる。このような方法は図２４のに示されるようにアナログ-デジタル演算から順次出力されたデジタルデータを加算する方法を用いて実現可能である。
【００７０】
図２４は本発明の第２実施の形態に係るタッチセンサ装置の駆動方法を示すフローチャートである。
【００７１】
図２４において、タッチスクリーン駆動回路、ブロックセンシングステップからブロック単位でタッチセンサの電圧をセンシングする（Ｓ２１１）。ブロックセンシングステップで受信されたタッチセンサ電圧はデジタルデータであるタッチ元のデータ（ＴＤａｔａ）に変換されてメモリー(図２５の３０１)に一時的に記録される（Ｓ２１２）。ブロックセンシングの結果、メモリーに記録されたデータをブロックセンシングデータと称する。ブロックセンシングの結果、センシングされたデジタルデータに対するタッチ前後の変化値が所定のしきい値以上である場合、そのデジタルデータはタッチ(または近接)入力データで判断され、パーシャルセンシングステップが実行される（Ｓ２１３及びＳ２１４）。
【００７２】
タッチスクリーン駆動回路はパーシャルセンシングステップでタッチ(または近接)入力が検出されたＴｘブロックに限ってそのＴｘブロック内のＴｘラインに駆動信号をライン別に順次供給し、そのブロック内に存在するタッチセンサの電圧を精密にセンシングすることでタッチ(または近接)位置を検出する（Ｓ２１４）。パーシャルセンシングステップで受信されたタッチセンサの電圧はデジタルデータであるタッチ元のデータ（ＴＤａｔａ）に変換される（Ｓ２１５）。パーシャルセンシングの結果で得られたデータをパーシャルセンシングデータと称する。タッチ認識プロセッサ３０はメモリー(図２５の３０１)にあらかじめ記録されていたブロックセンシングデータとパーシャルセンシングデータを加算してその結果をタッチ認識プロセッサ３０へ伝送する（Ｓ２１６）。タッチ認識プロセッサ３０は、ブロックセンシングデータとパーシャルセンシングデータが加算されタッチ前後の変化量が大きくなったタッチ元のデータをしきい値と比較し、タッチ(または近接)入力を検出する。
【００７３】
図２５乃至図２７は本発明の第２実施の形態に係るタッチセンサ装置の駆動方法のためのＲｘ駆動回路３４の回路構成とその動作の詳細を示す図である。図２５で、上段に表示されたパルス信号はＴｘライン(Ｔ１〜Ｔｊ)に供給される駆動信号を例示したものである。駆動信号はｔ１時間の間ハイロジッグレベル(high logic level)の電圧で生成され、ｔ２時間の間ローロジックレベル(low logic level)の電圧で生成される。
【００７４】
図２５乃至図２７において、Ｔｘ（ｉ）はｉ（ｉは自然数）番目Ｔｘライン（Ｔｘ（ｉ））、Ｒｘ（ｉ）はｉ番目Ｒｘライン、Ｒｘ（ｉ＋１）はｉ＋１番目Ｒｘラインを示している。Ｔｘライン（Ｔｘ（ｉ））とＲｘライン（Ｒｘ（ｉ）、Ｒｘ（ｉ＋１）)の間にはタッチセンサが形成される。
【００７５】
Ｒｘ駆動回路３４のサンプリング回路は隣接するＲｘライン（Ｒｘ（ｉ）、Ｒｘ（ｉ＋１）)を通じて受信されたタッチセンサの電圧を受信してそれぞれサンプリングし、サンプリングした電圧の差をアナログ-デジタル変換器３４１に供給する。このため、サンプリング回路は第１及び第２サンプリング回路、及びそのサンプリング回路の出力を比較する比較器（ＣＯＭＰ）を含む。比較器（ＣＯＭＰ）は演算増幅器(Operation Amplifier、ＯＰ)によって構成可能である。第１及び第２サンプリング回路はｉ番目Ｔｘライン（Ｔｘ（ｉ））に駆動信号が印加される度にｉ番目Ｒｘライン（Ｒｘ（ｉ）)を通じて受信されるタッチセンサの電圧を第１サンプリングキャパシター（Ｃ１）に累積しそのタッチセンサの電圧をサンプリングすると共に、ｉ＋１番目Ｒｘライン(Ｒｘ（ｉ＋１）)を通じて受信されるタッチセンサの電圧を第２サンプリングキャパシター (Ｃ２）に累積してタッチセンサの電圧をサンプリングする。
【００７６】
第１サンプリング回路は第１乃至第４スイッチ（Ｓ１１〜Ｓ２２）、第１センシングキャパシター（Ｃｓ）、第１サンプリングキャパシター（Ｃ１）を含み、ｉ番目Ｒｘライン（Ｒｘ（ｉ）)を通じて受信されるタッチセンサの電圧をサンプリングする。
【００７７】
第１スイッチ(Ｓ１１）はｉ番目Ｒｘライン（Ｒｘ（ｉ）)に接続されている。第３スイッチ（Ｓ２１）は第１スイッチ(Ｓ１１）とグランド電圧源（ＧＮＤ）の間に接続されている。第２スイッチ（Ｓ１２）は第４スイッチ（Ｓ２２）とグランド電圧源（ＧＮＤ）の間に接続されている。第４スイッチ（Ｓ２２）は第２スイッチ（Ｓ１２）と比較器（ＣＯＭＰ）の非反転入力端子の間に接続されている。
【００７８】
第１センシングキャパシター（Ｃｓ）の一端は第１スイッチ(Ｓ１１）と第３スイッチ（Ｓ２１）の間の第１ノードに接続される。第１センシングキャパシター（Ｃｓ）の他端は第２スイッチ（Ｓ１２）と第４スイッチ（Ｓ２２）の間の第２ノードに接続されている。第１サンプリングキャパシター（Ｃ１）の一端は第４スイッチ（Ｓ２２）と比較器（ＣＯＭＰ）の非反転入力端子の間のノードに接続されている。第１サンプリングキャパシター（Ｃ１）の他端は比較器（ＣＯＭＰ）の第１出力端子に接続されている。
【００７９】
第１及び第２スイッチ（Ｓ１１、Ｓ１２）は駆動パルスが発生されるｔ１時間にターン-オンする。よって、図２６に示されるように、ｉ番目Ｒｘライン（Ｒｘ（ｉ）に保持された第１タッチセンサの電圧が第１センシングキャパシター（Ｃｓ）に保持される。次に、第３及び第４スイッチ（Ｓ２１、Ｓ２２）はｉ番目Ｔｘライン（Ｔｘ（ｉ））の電圧がローロジッグレベルで低くなるｔ２時間にターン-オンする。よって、図２７に示されるように、第１センシングキャパシター（Ｃｓ）に保持された第１タッチセンサの電圧が第１サンプリングキャパシター（Ｃ１）にサンプリングされる。
【００８０】
第２サンプリング回路は第５乃至第８スイッチ（Ｓ１１’〜Ｓ２２’）、第２センシングキャパシター（Ｃｓ’）、第２サンプリングキャパシター （Ｃ１’）を含みｉ＋１番目Ｒｘライン(Ｒｘ（ｉ＋１）)を通じて受信されるタッチセンサの電圧をサンプリングする。
【００８１】
第５スイッチ（Ｓ１１’）はｉ＋１番目Ｒｘライン(Ｒｘ（ｉ＋１）)に接続される。第７スイッチ（Ｓ２１’）は第５スイッチ（Ｓ１１’）とグランド電圧源（ＧＮＤ）の間に接続されている。第６スイッチ（Ｓ１２’）は第８スイッチ（Ｓ２２）とグランド電圧源（ＧＮＤ）の間に接続されている。第８スイッチ（Ｓ２２’）は第６スイッチ（Ｓ１２’）と比較器（ＣＯＭＰ）の反転入力端子の間に接続されている。
【００８２】
第２センシングキャパシター（Ｃｓ’）の一端は第５スイッチ（Ｓ１１’）と第７スイッチ（Ｓ２１’）はの間の第３ノードに接続されている。第２センシングキャパシター（Ｃｓ’）の他端は第６スイッチ（Ｓ１２’）と第８スイッチ（Ｓ２２’）の間の第４ノードに接続されている。第２サンプリングキャパシター（Ｃ１’）の一端は第８スイッチ（Ｓ２２’）と比較器（ＣＯＭＰ）の反転入力端子の間のノードに接続される。第２サンプリングキャパシター（Ｃ１’）の他端は比較器（ＣＯＭＰ）の第２出力端子に接続される。
【００８３】
第５及び第６スイッチ（Ｓ１１‘、Ｓ１２’）は駆動パルスが発生されるｔ１時間にターン-オンされる。よって、図２６に示されるようにｉ＋１番目Ｒｘライン(Ｒｘ（ｉ＋１）)に接続された第２タッチセンサの電圧が第２センシングキャパシター（Ｃｓ’）に保持される。次に、第７及び第８スイッチ（Ｓ２１’、Ｓ２２’）はｉ番目Ｔｘライン（Ｔｘ（ｉ））の電圧がローロジッグレベルで低くなる ｔ２時間にターン-オンされる。よって、図２７に示されるように、第２センシングキャパシター（Ｃｓ’）に保持された第２タッチセンサの電圧が第２サンプリングキャパシター（Ｃ１’）にサンプリングされる。
【００８４】
比較器（ＣＯＭＰ）は第１サンプリングキャパシター（Ｃ１）に貯蔵された第１タッチセンサの電圧と第２サンプリングキャパシター(Ｃ２）に保持された第２タッチセンサの電圧をアナログ-デジタル変換器３４１に供給する。
【００８５】
アナログ-デジタル変換器３４１はブロックセンシングとパーシャルセンシングのそれぞれにおいえて１タッチセンサの電圧と第２タッチセンサの電圧の差をデジタルデータに変換し、タッチ認識プロセッサ３０に供給する。
【００８６】
タッチ認識プロセッサ３０はブロックセンシング結果において受信されたデジタルデータをメモリー３０１に保持する。タッチ認識プロセッサ３０はタッチ(または近接)入力が検出された後に入力されるパーシャルセンシング結果のデジタルデータをメモリー３０１から読み出したブロックセンシング結果のデジタルデータと加算する。そしてタッチ認識プロセッサ３０はタッチ認識アルゴリズムを行ってブロックセンシング結果とパーシャルセンシング結果の加算結果で得られたタッチ元のデータ(Touch raw data)を分析して最終タッチ(または近接)入力位置の座標値を計算する。
【００８７】
ブロックセンシングステップは図２８乃至図３１のようにプリーセンシングステップに入れ替えされることができる。この場合に、全てのセンシング時間を短縮する効果は低いが、センシング感度は改善可能である。
【００８８】
図２８は本発明の第３実施の形態に係るタッチセンサ装置の駆動方法を示すフローチャートである。図２９はプリーセンシング方法を示す波形図である。
【００８９】
図２８及び図２９を参照すると、タッチスクリーン駆動回路はフルセンシング方法でタッチスクリーン（ＴＳＰ）のタッチセンサを１次スキャニングしタッチセンサをセンシングする（Ｓ２８１）。フルセンシング(Fully sensing)方法は図２９のように第１Ｔｘライン（Ｔ１）から第ｊＴｘライン（Ｔｊ）まで駆動信号を順次供給してタッチセンサをセンシングする。本発明はにおいて、フルセンシングステップの時間を短縮するために、タッチセンサは図１８乃至図２２のようにＲｘブロック単位でセンシングしても良い。
【００９０】
タッチスクリーン駆動回路は、フルセンシングの結果、タッチ(または近接)入力が検出されると、２次スキャニング過程であるパーシャルセンシングステップに移行しプリーセンシングステップでタッチ(または近接)入力が検出されたＴｘラインに限って駆動信号をライン別で順次供給し、そのブロック内に存在するタッチセンサの電圧を精密にセンシングする（Ｓ２８２及びＳ２８３）。
【００９１】
フルセンシングステップでタッチ(または近接)入力が検出された場合にだけ、パーシャルセンシングステップが実行される。一方、フルセンシングステップで何らのタッチ(または近接)入力が検出されなければ、そのフルセンシングステップ以後にまたパーシャルセンシングステップが繰り返される、前述のブロックセンシングステップが実行される。
【００９２】
本発明は図３０のようにパーシャルセンシングデータとパーシャルセンシングデータを加算した結果に基づいてタッチ前後のタッチセンサ電圧変化量を大きくすることができる。この場合、タッチ入力がない時のタッチ無信号とタッチ入力信号の電圧差が大きくなるのでタッチ感度をさらに改善することができる。このような方法は図３１のようにアナログ-デジタル演算から順次出力されたデジタルデータを加算する方法によって実現することができる。
【００９３】
図３０及び図３１を参照すると、タッチスクリーン駆動回路はフルセンシングステップでＴｘライン(Ｔ１〜Ｔｊ)にライン別で順次に駆動信号を印加しタッチセンサの電圧をセンシングする（Ｓ３１１）。フルセンシングステップで受信されたタッチセンサの電圧はデジタルデータであるタッチ元のデータ（ＴＤａｔａ）に変換されメモリー(図２５の３０１)に一時的に保持される（Ｓ３１２）。フルセンシングの結果メモリーに保持されたデータをフルセンシングデータと称する。フルセンシングの結果センシングされたデジタルデータに対するタッチ前後の変化値が所定のしきい値以上なら、そのデジタルデータはタッチ(または近接)入力データで判断されパーシャルセンシングステップが実行される（Ｓ３１３及びＳ３１４）。
【００９４】
タッチスクリーン駆動回路はパーシャルセンシングステップでタッチ(または近接)入力が検出されたＴｘラインに限ってそのＴｘラインに駆動信号をライン別に順次供給し、そのブロック内に存在するタッチセンサの電圧を精密にセンシングすることでタッチ(または近接)位置を検出する（Ｓ３１４）。パーシャルセンシングステップで受信されたタッチセンサらの電圧はデジタルデータであるタッチ元のデータ（ＴＤａｔａ）に変換される（Ｓ３１５）。パーシャルセンシング結果で得られたデータをパーシャルセンシングデータと称する。タッチ認識プロセッサ３０はメモリー（図２５の３０１）にあらかじめ保持されていたフルセンシングデータとパーシャルセンシングデータを加算し、その結果をタッチ認識プロセッサ３０に伝送する（Ｓ２１６）。タッチ認識プロセッサ３０はフルセンシングデータとパーシャルセンシングデータが加算され、タッチ前後の変化量が大きくなったタッチ元のデータをしきい値と比べてタッチ(または近接)入力を検出する。
【００９５】
前述の実施の形態でブロックセンシングステップはタッチ(または近接)入力を検証し消費電力を低減するために２回以上繰り返しても良い。この実施の形態を図３２ないし図４４を参照しながら説明する。
【００９６】
図３２は本発明の第４実施の形態に係るタッチセンサ装置の駆動方法を示す流れ図である。図３３及び図３４は本発明の第４実施の形態に係るタッチセンサ装置の駆動方法においてブロックセンシング期間とパーシャルセンシング期間を示す図である。
【００９７】
本発明の第４実施の形態で、タッチスクリーン（ＴＳＰ）は仮想のブロックに分割される。ブロックは１次センシング対象領域に設定された１次ブロックに分割され、１次ブロックのそれぞれは２次センシング対象領域に設定される２次ブロックに分けられる得る。２次ブロックのそれぞれは複数の３次ブロックに分割され、それぞれの３次ブロックは３次センシング対象領域に設定される。２次ブロックの大きさは１次ブロックのそれより小さく、３次ブロックの大きさは２次ブロックのそれより小さい。ブロックの最小の大きさは２以上のＴｘラインと２以上のＲｘラインを含む大きさに設定される。
【００９８】
図３２乃至図３４を参照すれば、タッチセンサ装置の駆動方法はタッチスクリーン駆動回路とタッチスクリーン（ＴＳＰ）のタッチセンサを初期化する（Ｓ３２１）。続いて、タッチセンサ装置の駆動方法は１次ブロックセンシング期間（ＴＢ１）間１次ブロック単位でタッチセンサをセンシングする（Ｓ３２２）。
【００９９】
タッチセンサ装置の駆動方法は１次ブロックセンシング期間（ＴＢ１）の間、１次ブロック内に存在するＴｘラインに駆動信号を同時に供給し、その１次ブロック内に存在する全てのタッチセンサの電圧を同時にセンシングした後に、同じ方法で他の１次ブロック内のタッチセンサを同時にセンシングする。１次ブロックセンシング期間（ＴＢ１）はその１次ブロック内のＴｘラインに同時に駆動信号が印加されるので従来技術の１ラインセンシング時間に過ぎない。
【０１００】
タッチセンサ装置の駆動方法は、１次ブロックセンシングステップを通じて得られたタッチ元のデータを分析し、タッチ前後におけるタッチセンサ電圧の変化量が所定のしきい値以上である大きいデータをタッチ(または近接)データで判断することにより、タッチ(または近接)入力有無を判断することができる（Ｓ３２３）。タッチセンサ装置の駆動方法は１次ブロックセンシングの結果、タッチスクリーン（ＴＳＰ）上でどんなタッチ(または近接)入力も検出されないと判断されると、所定の待機時間(図３４のＴｉｄｌｅ)の間、タッチスクリーンの駆動回路をディスエイブル(disable)させる（Ｓ３２４）。タッチスクリーン駆動回路は待機時間(Tidle)の間、ディスエイブルされるので、いかなる出力も発生させず、タッチセンサをセンシングしない。従って、タッチスクリーン駆動回路とタッチスクリーン（ＴＳＰ）の消費電力は待機時間(Tidle)の間、最小に制御される。待機時間(Tidle)はタッチスクリーンの感度と消費電力を考慮し、適切に選択可能である。例えば、待機時間(Tidle)は０．１ｍｓｅ〜５０ｍｓｅｃ間でタッチスクリーンの感度と消費電力を考慮し、決定することができる。
【０１０１】
ホストシステムは、１次ブロックセンシングの結果、タッチスクリーン（ＴＳＰ）上でタッチ(または近接)入力が検出されないと判断されると、タッチスクリーン駆動回路の電源やイネーブル/ディスエイブル信号を制御し、タッチスクリーン駆動回路の動作を停止させることができる。ホストシステムはタッチ認識処理部３０の出力を分析し、１次ブロックセンシングの結果、タッチスクリーン（ＴＳＰ）上でタッチ(または近接)入力が検出されないと判断されると、タッチスクリーン駆動回路が内蔵されたＩＣの電源入力スイッチ(図示せず)を制御し、時間（Ｔｉｄｌｅ）の間、ＲＯＩＣの駆動電源（Ｖｃｃ）を遮断することができる。タッチスクリーン駆動回路は駆動電源（Ｖｃｃ）が供給されなければ動作を停止し、出力を発生しない。ホストシステムはカウンターを利用し、待機時間（Ｔｉｄｌｅ）をカウントし、待機時間（Ｔｉｄｌｅ）が経過された後に、タッチスクリーン駆動回路に再び駆動電源（Ｖｃｃ）を供給する。
【０１０２】
ホストシステムは、タッチ認識処理部３０の出力を分析し、１次ブロックセンシング結果タッチスクリーン（ＴＳＰ）上でタッチ(または近接)入力が検出されないと判断されると、待機時間（Ｔｉｄｌｅ）の間、タッチスクリーン駆動回路が内蔵されたＲＯＩＣのイネーブル/ディスエイブル信号（ＥＮ）をディスエイブル状態の論理値で反転させ、タッチスクリーン駆動回路の動作を停止させることができる。ホストシステムは、カウンターを利用し、待機時間（Ｔｉｄｌｅ）をカウントし、待機時間（Ｔｉｄｌｅ）が経過された後に、イネーブル/ディスエイブル信号（ＥＮ）の論理値をイネーブル状態の論理値で反転させ、タッチスクリーン駆動回路を再びイネーブルさせる。
【０１０３】
Ｓ３２１ 〜 Ｓ３２４ステップは１次ブロックセンシングの結果、タッチ(または近接)入力が検出されない時所定の待機時間（Ｔｉｄｌｅ）以後に１次ブロックセンシングが再開されるアイドルセンシングモード(idle sensing mode)である。
【０１０４】
タッチセンサ装置の駆動方法において、Ｓ３２３ステップから１次ブロックセンシングを通じてタッチ(または近接)入力が検出されたと判断されると、図３３のように２次ブロックセンシングステップを実行し、タッチ(または近接)入力が検出された１次ブロック内で分割された２次ブロックを対象にし、その２次ブロック単位でタッチセンサをセンシングする（Ｓ３２５）。タッチセンサ装置の駆動方法は２次ブロックセンシングステップで一つの２次ブロック内に存在するＴｘラインに駆動信号を同時に供給し、そのブロック内に存在するタッチセンサを同時にセンシングする。従って、一つの２次ブロックをセンシングするのに必要な時間は従来技術の１ラインセンシング時間に過ぎない。
【０１０５】
タッチセンサ装置の駆動方法において、２次ブロックセンシングステップを通じて得られたタッチ元のデータを分析しタッチ前後にタッチセンサ電圧の変化値が所定のしきい値以上に大きいデータをタッチ(または近接)データで判断してタッチ(または近接)入力有無を判断することができる。
【０１０６】
タッチセンサ装置の駆動方法において、２次ブロックセンシングステップを通じて得られたタッチ元のデータを分析してタッチ前後にタッチセンサ電圧の変化値が所定のしきい値以上に大きいデータをタッチ(または近接)データで判断し、タッチ(または近接)入力有無を判断することができる。
【０１０７】
タッチセンサ装置の駆動方法において、２次ブロックセンシングの結果、タッチ(または近接)入力が検出されたと判断されると、１次ブロックセンシングステップで判断されたタッチ(または近接)入力が真偽のタッチ(または近接)入力と判断し、そのタッチ(または近接)値を精密にセンシングするためにパーシャルセンシングステップを実行する（Ｓ３２６及びＳ３２７）。これと異なり、タッチセンサ装置の駆動方法において、２次ブロックセンシングの結果、タッチ(または近接)入力が検出されなければ、１次ブロックセンシングステップで判断されたタッチ(または近接)入力をノイズによるタッチミスと判断し、図３４のようにパーシャルセンシングステップを実行しないで、Ｓ３２１ステップを実行し、１次ブロックセンシングステップを繰り返す。従って、２次ブロックセンシングステップは１次ブロックセンシング結果に対する検証と共に１次ブロックセンシング結果で得られたタッチ(または近接)入力位置をより精密にセンシングする。
【０１０８】
タッチセンサ装置の駆動方法において、タッチ(または近接)入力が検出された２次ブロックを対象にしてパーシャルセンシング期間（ＴＰ）間その２次ブロック内に存在するＴｘラインに駆動信号をライン別に順次供給しタッチ(または近接)位置を精密に検出する（Ｓ３２７）。タッチセンサ装置の駆動方法において、パーシャルセンシングの結果、生成されたタッチ元のデータを所定のしきい値と比べ、タッチ(または近接)前後のタッチセンサ電圧変化量がしきい値以上に大きいタッチ元のデータをタッチ(または近接)入力データとして判断する。続いて、タッチセンサ装置の駆動方法において、タッチ認識アルゴリズムを行ってパーシャルセンシング結果で得られたタッチ(または近接)入力に対する座標を推定し、タッチ(または近接)入力位置の座標情報を含む座標データ（Ｈ  ＩＤｘｙ）を出力する。
【０１０９】
Ｓ３２５乃至Ｓ３２７ステップはタッチ(または近接)入力位置の座標を推定するためのノルマルセンシング(Normal sensing)モードである。このノルマルセンシングモードにおいて、タッチスクリーン駆動回路はイネーブルされ駆動信号を発生し、センシング動作を繰り返して正常駆動水準で消費電力を発生する。
【０１１０】
２次ブロックセンシング期間（ＴＢ２）は図３３のようにタッチスクリーン（ＴＳＰ）上で検出されたタッチ(または近接)入力の個数にしたがって変わる。１次ブロックセンシングの結果、タッチ(または近接)入力個数が多いほど２次ブロックセンシングが実行される１次ブロックの個数が多くなるので、２次ブロックセンシング期間（ＴＢ２）が長くなる。パーシャルセンシング期間（ＴＰ）は図３３のようにタッチスクリーン（ＴＳＰ）上で検出されたタッチ(または近接)入力の個数にしたがって変わる。２次ブロックセンシング結果、タッチ(または近接)入力個数が多いほどパーシャルセンシングが実行される２次ブロックの個数が多くなるのでパーシャルセンシング期間（ＴＰ）が長くなる。
【０１１１】
タッチセンサ装置の駆動方法において、２次ブロックセンシング結果タッチ(または近接)入力が検出されるすぐに、パーシャルセンシングステップを実行しないで１次ブロックセンシング領域を１／２以下に減少しながら１回以上ブロックセンシングをさらに実行した後、タッチ(または近接)入力が再検出される時にパーシャルセンシングステップを実行可能である。例えば、タッチセンサ装置の駆動方法において、図４１乃至図４４のようにＳ３２６ステップとＳ３２７ステップの間で２次ブロックセンシングの結果、タッチ(または近接)入力が検出された２次ブロックに対して大きさが１／２に減少した３次ブロック単位で３次ブロックセンシングを実行する。この場合、本発明のタッチスクリーン駆動方法において、３次ブロックセンシングの結果、タッチ(または近接)入力が検出される時に４次ブロックセンシングを実行するかパーシャルセンシングステップを実行することができる。
【０１１２】
図３５は１次ブロック分割方法の一例を示す図である。図３６は図３５のような１次ブロックの中でタッチ入力が検出された１次ブロック内で分割された２次ブロックの一例を示す図である。図３７は図３６のような２次ブロックの中でタッチ入力が検出された２次ブロック内で実施されるパーシャルセンシング方法を示す図である。図３８は図３５乃至図３８のような場合にブロックセンシング方法とパーシャルセンシング方法を示す波形図である。図３５乃至図３８において、Ｔｘラインの個数は１６個で、Ｒｘラインの個数は２４個であると仮定する。図３５乃至図３８に示されたタッチスクリーン（ＴＳＰ）は説明の便宜のために例示にすぎず、ブロック大きさ、Ｔｘライン数、Ｒｘライン数は図３５乃至図３８に限定されないということに気を付けなければならない。
【０１１３】
図３５乃至図３８を参照すると、タッチスクリーン（ＴＳＰ）は複数の１次ブロック（ＢＬ１〜ＢＬ４）に分割される。
【０１１４】
Ｔｘ駆動回路３２は、１次ブロックセンシングステップで図３５及び図３８のように第１駆動信号（Ｐ１１）をＴｘライン（Ｔ１〜Ｔ１６）に同時に供給した後、第２駆動信号（Ｐ１２）をＴｘライン（Ｔ１〜Ｔ１６）に同時に供給する。続いて、Ｔｘ駆動回路３２は、第３駆動信号（Ｐ１３）をＴｘライン（Ｔ１〜Ｔ１６）に同時に供給した後、第４駆動信号（Ｐ１４）をＴｘライン（Ｔ１〜Ｔ１６）に同時に供給する。駆動信号（Ｐ１１〜Ｐ１４）のそれぞれは複数のパルスを含むことができる。
【０１１５】
Ｒｘ駆動回路３４は、１次ブロックセンシングステップで図３５及び図３８のように第１駆動信号（Ｐ１１）と同期され、第１Ｒｘブロック（ＧＲｘ１（Ｒ１〜Ｒ６））内のＲｘライン（Ｒ１〜Ｒ６）を通じてタッチセンサの電圧を受信しそのタッチセンサの電圧をサンプリングしデジタルデータに変換する。Ｒｘ駆動回路３４は、第２駆動信号（Ｐ１２）と同期され、第２Ｒｘブロック（ＧＲｘ２（Ｒ７〜Ｒ１２））内のＲｘライン（Ｒ７〜Ｒ１２）を通じてタッチセンサの電圧を受信し、サンプリング及びデジタル変換する。続いて、Ｒｘ駆動回路３４は、第３駆動信号（Ｐ１３）と同期され、第３Ｒｘブロック（ＧＲｘ３（Ｒ１３〜Ｒ１８））内のＲｘライン（Ｒ１３〜Ｒ１８）を通じてタッチセンサの電圧を受信して、サンプリング及びデジタル変換した後、第４駆動信号（Ｐ１４）と同期され、第４グループ（ＧＲｘ４（Ｒ１９〜Ｒ２４)) 内のＲｘライン（Ｒ１９〜Ｒ２４）を通じてタッチセンサの電圧を受信し、サンプリング及びデジタル変換する。
【０１１６】
第１Ｒｘブロック（ＧＲｘ１（Ｒ１〜Ｒ６））は、第１の１次ブロック（ＢＬ１）内のタッチセンサと接続されたＲｘライン（Ｒ１〜Ｒ６）を含む。第２Ｒｘブロック（ＧＲｘ２（Ｒ７〜Ｒ１２））は、第２の１次ブロック（ＢＬ２）内のタッチセンサと接続されたＲｘライン（Ｒ７〜Ｒ１２）を含む。第３Ｒｘブロック（ＧＲｘ３（Ｒ１３〜Ｒ１８））は第３の１次ブロック（ＢＬ３）内のタッチセンサと接続されたＲｘライン（Ｒ１３〜Ｒ１８）を含む。第４Ｒｘブロック（ＧＲｘ４（Ｒ１９〜Ｒ２４））は第４の１次ブロック（ＢＬ４）内のタッチセンサと接続されたＲｘライン（Ｒ１９〜Ｒ２４）を含む。
【０１１７】
タッチ認識プロセッサ３０は、１次ブロックセンシングの結果、Ｒｘ駆動回路３４から受信されたタッチ元のデータをしきい値と比較してタッチ(または近接)入力の可否を判断する。１次ブロックセンシングの結果、図３５のように第３の１次ブロック（ＢＬ３）からタッチ(または近接)入力が検出されると、第３の１次ブロック（ＢＬ３）は、図３６のようにさらに小さな大きさの２次ブロック（ＢＬ３１〜ＢＬ３２）に分割される。１次ブロックセンシング結果タッチ(または近接)入力が検出されなければ、タッチスクリーン駆動回路は所定の待機時間(Tidled)の間、待機モードに維持される。
【０１１８】
Ｔｘ駆動回路３２は、１次ブロックセンシング結果タッチ(または近接)入力が検出されれば、２次ブロックセンシングステップに移行し、図４６及び図３８のように第１の２次ブロック（ＢＬ３１）のタッチセンサに接続されたＴｘライン（Ｔ１〜Ｔ４））に第１駆動信号（Ｐ２１）を同時に供給した後、第２ ２次ブロック（ＢＬ３２）のタッチセンサに接続されたＴｘライン（Ｔ５〜Ｔ８）に第２駆動信号（Ｐ２２）を同時に供給する。続いて、Ｔｘ駆動回路３２は第３２次ブロック（ＢＬ３３）のタッチセンサに接続されたＴｘライン（Ｔ９〜Ｔ１２）に第３駆動信号（Ｐ２３）を同時に供給した後、第４の２次ブロック（ＢＬ３４）のタッチセンサに接続されたＴｘライン（Ｔ１３〜Ｔ１６）に第４駆動信号（Ｐ２４）を同時に供給する。駆動信号（Ｐ２１〜Ｐ２４）のそれぞれは前述のようｎ複数のパルスを含むことができる。
【０１１９】
Ｒｘ駆動回路３４は、２次ブロックセンシングステップで図３６及び図３８のように駆動信号（Ｐ２１〜Ｐ２４）に同期し、１次ブロックセンシングの結果タッチ(または近接)入力が検出された第３の１次ブロックに限ってタッチセンサ電圧を受信する。Ｒｘ駆動回路３４は先ず、第１ 駆動信号（Ｐ２１）と同期され、第３Ｒｘブロック（ＧＲｘ３（Ｒ１３〜Ｒ１８））内のＲｘライン（Ｒ１３〜Ｒ１８）を通じてタッチセンサの電圧を受信して、サンプリング及びデジタル変換した後、第２駆動信号（Ｐ２２）と同期され、第３Ｒｘブロック（ＧＲｘ３（Ｒ１３〜Ｒ１８））内のＲｘライン（Ｒ１３〜Ｒ１８）を通じてタッチセンサの電圧を受信し、サンプリング及びデジタル変換する。続いて、Ｒｘ駆動回路３４は第３駆動信号（Ｐ２３）と同期され、第３Ｒｘブロック（ＧＲｘ３（Ｒ１３〜Ｒ１８））内のＲｘライン（Ｒ１３〜Ｒ１８）を通じてタッチセンサの電圧を受信し、サンプリング及びデジタル変換した後、第４駆動信号（Ｐ２４）と同期され、第３Ｒｘブロック（ＧＲｘ３（Ｒ１３〜Ｒ１８））内のＲｘライン（Ｒ１３〜Ｒ１８）を通じてタッチセンサの電圧を受信し、サンプリング及びデジタル変換する。
【０１２０】
タッチ認識プロセッサ３０は、２次ブロックセンシングの結果、Ｒｘ駆動回路３４から受信されたタッチ元のデータをしきい値と比較し、タッチ(または近接)入力可否を判断する。２次ブロックセンシングの結果、図３６のように第３２次ブロック（ＢＬ３３）からタッチ(または近接)入力が検出されれば、第３の２次ブロック（ＢＬ３３）に限ってパーシャルセンシングステップを実行する。パーシャルセンシングステップはＴｘラインに駆動信号を１ラインずつ順次で供給しその駆動信号に同期してＲｘチャンネルをＲｘブロック単位で同時にまたはＲｘライン単位で順次に設定しタッチセンサそれぞれを精緻にセンシングする。一方、タッチスクリーン駆動回路は２次ブロックセンシング結果タッチ(または近接)入力が検出されなければ、１次ブロックセンシングステップを実行する。
【０１２１】
Ｔｘ駆動回路３２は、２次ブロックセンシングの結果、タッチ(または近接)入力が検出されれば、パーシャルセンシングステップを実行し、図３７のように第３２次ブロック（ＢＬ３３）内のタッチセンサに接続されたＴｘライン（Ｔ９〜Ｔ１２）に第１乃至第４駆動信号(図３８のＰ３１〜Ｐ３４)を順次供給する。駆動信号（Ｐ３１〜Ｐ３４）のそれぞれは前述したように複数のパルスを含むことができる。
【０１２２】
Ｒｘ駆動回路３４は、パーシャルセンシングステップで図３７及び図３８のように第１駆動信号Ｐ３１に同期され、第３Ｒｘブロック（ＧＲｘ３（Ｒ１３〜Ｒ１８））内のＲｘライン（Ｒ１〜Ｒ１８)を通じてタッチセンサの電圧を受信し、サンプリング及びデジタル変換した後、第２駆動信号Ｐ３２に同期され、第３Ｒｘブロック（ＧＲｘ３（Ｒ１３〜Ｒ１８））内のＲｘライン（Ｒ１〜Ｒ１８）を通じてタッチセンサの電圧を受信し、サンプリング及びデジタル変換する。続いて、Ｒｘ駆動回路３４は、第３駆動信号Ｐ３３と同期され、第３Ｒｘブロック（ＧＲｘ３（Ｒ１３〜Ｒ１８））内のＲｘライン（Ｒ１〜Ｒ１８）を通じてタッチセンサの電圧を受信し、サンプリング及びデジタル変換した後、第４駆動信号（Ｐ３４）と同期され、第３Ｒｘブロック（ＧＲｘ３（Ｒ１３〜Ｒ１８））を通じてタッチセンサの電圧を受信し、サンプリング及びデジタル変換する。
【０１２３】
タッチ認識プロセッサ３０は、パーシャルセンシングの結果、Ｒｘ駆動回路３４から受信されたタッチ元のデータをしきい値と比較してタッチ(または近接)入力位置を判断し、タッチ認識アルゴリズムを行ってそのタッチ(または近接)入力位置に対する座標値を推定する。そしてタッチ認識プロセッサ３０は、パーシャルセンシングの結果検出されたタッチ(または近接)位置に対する座標情報を含む座標データ（Ｈ  ＩＤｘｙ）を出力する。
【０１２４】
１次ブロックセンシングの結果、図３９のようにマルチタッチ(または近接)入力が検出されれば図４０のように２次ブロックセンシング期間（ＴＢ２）とパーシャルセンシング期間（ＴＰ）が長くなる。
【０１２５】
図３９は、図３５に示される１次ブロックの中で２個のブロックにタッチ入力が発生されたマルチタッチ入力の一例を示す図である。図４０は、図３９に示されるマルチタッチ入力でブロックセンシング方法とパーシャルセンシング方法を示す波形図である。図３９及び図４０において、Ｔｘラインの個数は１６個で、Ｒｘラインの個数は２４個であると仮定する。図３９及び図４０に示されたタッチスクリーン（ＴＳＰ）は説明の便宜のために例示するにすぎず、ブロックの大きさ、Ｔｘライン数、Ｒｘライン数は限定されない。
【０１２６】
図３９及び図４０を参照すると、タッチスクリーンは複数の１次ブロック（ＢＬ１〜ＢＬ４）に分割されることができる。
【０１２７】
タッチスクリーン駆動回路は、１次ブロックセンシングを実行した結果、図３９のように第２及び第３の１次ブロック（ＢＬ２、ＢＬ３）それぞれでタッチ(または近接)入力が検出されると、２次ブロックセンシングステップを実行する。２次ブロックセンシングステップで、タッチ(または近接)入力が検出された第２及び第３の１次ブロック（ＢＬ２、ＢＬ３）のそれぞれは、それより小さな大きさの２次ブロックに分割される。
【０１２８】
Ｔｘ駆動回路３２は１次ブロックセンシングの結果図３９のようにマルチタッチ入力が検出されると、２次ブロックセンシングステップを実行し、第２ブロック（ＢＬ２）内で分割された２次ブロック単位で駆動信号（Ｐ２１〜Ｐ２４）を順次供給した後、第３の１次ブロック（ＢＬ３）内で分割された２次ブロック単位で駆動信号（Ｐ３１〜３４）を順次供給する。
【０１２９】
Ｒｘ駆動回路３４は２次ブロックセンシングステップで駆動信号（Ｐ２１〜Ｐ２４）に同期し第２ １次ブロック（ＢＬ２）内のタッチセンサに接続された第２Ｒｘブロック（ＧＲｘ２（Ｒ７〜Ｒ１２））のＲｘライン（Ｒ７〜Ｒ１２）を通じてタッチセンサの電圧を受信し、サンプリング及びデジタル変換する。続いて、Ｒｘ駆動回路３４は駆動信号（Ｐ３１〜Ｐ３４）に同期し、第３の１次ブロック（ＢＬ３）内のタッチセンサに接続された第３Ｒｘブロック（ＧＲｘ３（Ｒ１３〜Ｒ１８））のＲｘライン（Ｒ１３〜Ｒ１８）を通じてタッチセンサの電圧を受信し、サンプリング及びデジタル変換する。
【０１３０】
タッチ認識プロセッサ３０は、２次ブロックセンシングの結果Ｒｘ駆動回路３４から受信されたタッチ元のデータをしきい値と比較してタッチ(または近接)入力可否を判断する。２次ブロックセンシングの結果結果、第２の１次ブロック（ＢＬ２）から分割された２次ブロックの中で第１の２次ブロックでタッチ(または近接)入力が検出され、第３の１次ブロック（ＢＬ３）から分割された２次ブロックの中で第３の２次ブロックでタッチ(または近接)入力が検出されたと仮定する。この場合に、Ｔｘ駆動回路３２はパーシャルセンシングステップを実行し、第２の１次ブロック（ＢＬ２）から分割された第１の２次ブロック内のＴｘライン（Ｔ１〜Ｔ４）に第１乃至第４駆動信号（Ｐ４１〜Ｐ４４）を順次供給した後、第３の１次ブロック（ＢＬ３）から分割された第３の２次ブロック内のＴｘライン（Ｔ９〜Ｔ１２）に第５乃至第８駆動信号（Ｐ４５〜Ｐ４８）を順次供給する。駆動信号（Ｐ４１〜Ｐ４８）のそれぞれは前述のように複数のパルスを含むことができる。
【０１３１】
Ｒｘ駆動回路３４は、パーシャルセンシングステップで第１駆動信号Ｐ４１に同期され、第２Ｒｘブロック（ＧＲｘ２（Ｒ７〜Ｒ１２））を通じてタッチセンサの電圧を順次受信してサンプリング及びデジタル変換した後、第２駆動信号Ｐ４２に同期され、第２Ｒｘブロック（ＧＲｘ２（Ｒ７〜Ｒ１２））を通じてタッチセンサの電圧を順次受信してサンプリング及びデジタル変換する。続いて、 Ｒｘ駆動回路３４は、第３駆動信号（Ｐ４３）に同期され、第２Ｒｘブロック（ＧＲｘ２（Ｒ７〜Ｒ１２））を通じてタッチセンサの電圧を順次受信して、サンプリング及びデジタル変換した後、第４駆動信号（Ｐ４４）に同期され、第２Ｒｘブロック（ＧＲｘ２（Ｒ７〜Ｒ１２））を通じてタッチセンサの電圧を順次受信し、サンプリング及びデジタル変換する。続いて、Ｒｘ駆動回路３４は第５駆動信号（Ｐ４５）に同期され、第３Ｒｘブロック（ＧＲｘ３（Ｒ１３〜Ｒ１８））を通じてタッチセンサの電圧を順次受信して、サンプリング及びデジタル変換した後、第６駆動信号（Ｐ４６）に同期され、第３Ｒｘブロック（ＧＲｘ３（Ｒ１３〜Ｒ１８））を通じてタッチセンサの電圧を順次受信して、サンプリング及びデジタル変換する。続いて、Ｒｘ駆動回路３４は第７駆動信号（Ｐ４７)に同期され、第３Ｒｘブロック（ＧＲｘ３（Ｒ１３〜Ｒ１８））を通じてタッチセンサの電圧を順次受信して、サンプリング及びデジタル変換した後、第８駆動信号（Ｐ４８）に同期され第３Ｒｘブロック（ＧＲｘ３（Ｒ１３〜Ｒ１８））を通じてタッチセンサの電圧を順次受信し、サンプリング及びデジタル変換する。
【０１３２】
タッチ認識プロセッサ３０は、パーシャルセンシングの結果、Ｒｘ駆動回路３４から受信されたタッチ元のデータをしきい値と比較してタッチ(または近接)入力位置を判断し、タッチ認識アルゴリズムを行ってそのマルチタッチ(または近接)入力それぞれの位置に対する座標値を推定する。そしてタッチ認識プロセッサ３０はパーシャルセンシング結果検出されたマルチタッチ(または近接)入力に対する座標情報を含む座標データ（Ｈ  ＩＤｘｙ）を出力する。
【０１３３】
図４１は１次ブロック分割方法の他の例を示す図である。図４２は図４１に示される１次ブロックの中でタッチ入力が検出された１次ブロック内で分割された２次ブロックの一例を示す図である。図４３は図４２に示され他２次ブロックの中でタッチ入力が検出された２次ブロック内で分割された３次ブロックの一例を示す図である。図４４は図４１乃至図４３におけるブロックセンシング方法とパーシャルセンシング方法を示す波形図である。図４１乃至図４４において、Ｔｘラインの個数は１６個で、Ｒｘラインの個数は２４個であると仮定する。図４１乃至図４４に示されたタッチスクリーン（ＴＳＰ）は説明の便宜のために例示に過ぎず、ブロック大きさ、Ｔｘライン数、Ｒｘライン数等は限定されない。
【０１３４】
図４１乃至図４４を参照すると、タッチスクリーン（ＴＳＰ）は垂直方向(またはｙ軸方向、Ｒｘライン方向)から１／２に分割されることができる。この場合、タッチスクリーン（ＴＳＰ）は第１及び第２１次ブロック（ＢＬ１、ＢＬ２）に分割される。第１及び第２の１次ブロック（ＢＬ１、ＢＬ２）の各々の大きさはタッチスクリーン（ＴＳＰ）の全体タッチ認識可能領域に比較して１／２の大きさに定めることができるがこれに限定されない。例えば、第１及び第２の１次ブロック（ＢＬ１、ＢＬ２）はその大きさが互いに同一、若しくは互いに異なる大きさであっても良い。
【０１３５】
Ｔｘ駆動回路３２は、１次ブロックセンシングステップで図４１及び図４４のように第１駆動信号（Ｐ５１)を第１の１次ブロック（ＢＬ１）のタッチセンサに接続されたＴｘラインＴ１〜Ｔ８)に同時に供給した後、第２駆動信号Ｐ５２を第２の１次ブロック（ＢＬ２）(BL2)のタッチセンサに接続されたＴｘライン（Ｔ９〜Ｔ１６）に同時に供給する。駆動信号（Ｐ５１，Ｐ５２）のそれぞれは前述のように複数のパルスを含むことができる。
【０１３６】
Ｒｘ駆動回路３４は、１次ブロックセンシングステップで図４１及び図４４に示されたように第１駆動信号（Ｐ５１)と同期され、Ｒｘライン（Ｒ１〜Ｒ２４）を通じてタッチセンサの電圧を受信してサンプリング及びデジタル変換する。続いて、Ｒｘ駆動回路３４は第２駆動信号Ｐ５２と同期され、Ｒｘライン（Ｒ１〜Ｒ２４）を通じてタッチセンサの電圧を受信しサンプリング及びデジタル変換する。
【０１３７】
タッチ認識プロセッサ３０は、１次ブロックセンシングの結果、Ｒｘ駆動回路３４から受信されたタッチ元のデータをしきい値と比較してタッチ(または近接)入力可否を判断する。１次ブロックセンシングの結果、図４１のように第１の１次ブロック（ＢＬ１）からタッチ(または近接)入力が検出されると、第１の１次ブロック（ＢＬ１）は図４２のように垂直方向(y軸方向)から１／２に分割される。従って、第１の１次ブロック（ＢＬ１）は図４２のように第１及び第２の２次ブロック（ＢＬ１１、ＢＬ１２）に分割される。第１及び第２の２次ブロック（ＢＬ１１、ＢＬ１２）それぞれの大きさは第１の１次ブロック（ＢＬ１）に比べて１／２の大きさに定めることができる。
【０１３８】
タッチスクリーン駆動回路は、消費電力を減らすために前述の実施の形態のような方法で１次ブロックセンシングの結果タッチ(または近接)入力が検出されなければ、所定の待機時間(Tidled)の間、待機モードに維持される。
【０１３９】
Ｔｘ駆動回路３２は、１次ブロックセンシングの結果、タッチ(または近接)入力が検出されれば、２次ブロックセンシングステップを実行し、図４２及び図４４のように第１の２次ブロック（ＢＬ１１）のタッチセンサに接続されたＴｘライン（Ｔ１〜Ｔ４）に第１駆動信号（Ｐ６１）を同時に供給した後、第２の２次ブロック（ＢＬ１２）のタッチセンサに接続されたＴｘライン（Ｔ５〜Ｔ８）に第２駆動信号（Ｐ６２）を同時に供給する。駆動信号（Ｐ６１〜Ｐ６２）のそれぞれは前述のように複数のパルスを含むことができる。Ｔｘ駆動回路３２は２次ブロックセンシングステップから１次ブロックセンシングの結果、タッチ(または近接)入力が検出されない第２の１次ブロック（ＢＬ２）のタッチセンサに属するＴｘライン（Ｔ９〜Ｔ１６）に駆動信号を印加しない。
【０１４０】
Ｒｘ駆動回路３４は、２次ブロックセンシングステップで図４２及び図４４のように第１駆動信号（Ｐ６１）に同期しＲｘライン（Ｒ１〜Ｒ２４）を通じて第１の２次ブロック（ＢＬ１１）内のタッチセンサの電圧を受信しサンプリング及びデジタル変換した後、第２駆動信号（Ｐ２２）と同期されＲｘライン（Ｒ１〜Ｒ２４）を通じて第２の２次ブロック（ＢＬ１２）内のタッチセンサの電圧を受信してサンプリング及びデジタル変換する。
【０１４１】
タッチ認識プロセッサ３０は２次ブロックセンシング結果Ｒｘ駆動回路３４から受信されたタッチ元のデータをしきい値と比べてタッチ(または近接)入力可否を判断する。２次ブロックセンシング結果、図４２のように第２の２次ブロック（ＢＬ１２）からタッチ(または近接)入力が検出されれば、第２の２次ブロック（ＢＬ１２）は図４３のように垂直方向（ｙ軸方向)から１／２に分割される。この場合、第２の２次ブロック（ＢＬ１２）は図１８のように第１及び第２の３次ブロック(ＢＬ１２1、ＢＬ１２２)に分割される。第１及び第２の３次ブロック(ＢＬ１２１、ＢＬ１２２)のそれぞれの大きさは第２の２次ブロック（ＢＬ１２）に比べて１／２の大きさである。タッチスクリーン駆動回路は、２次ブロックセンシングの結果、タッチ(または近接)入力が検出されなければ所定時間の間、待機モードに維持された後、１次ブロックセンシングステップで動作する。ここで、待機モードは省略可能である。
【０１４２】
Ｔｘ駆動回路３２は、２次ブロックセンシングの結果、タッチ(または近接)入力が検出されれば、３次ブロックセンシングステップを実行し、図４３及び図４４のように第１の３次ブロック（ＢＬ１２１）のタッチセンサに接続されたＴｘライン（Ｔ５、Ｔ６）に第１駆動信号（Ｐ７１）を同時に供給した後、第２の３次ブロック（ＢＬ１２２）のタッチセンサに接続されたＴｘライン（Ｔ７、Ｔ８）に第２駆動信号（Ｐ７２）を同時に供給する。駆動信号（Ｐ７１〜Ｐ７２）それぞれは前述のように複数のパルスを含むことができる。Ｔｘ駆動回路３２は３次ブロックセンシングステップから２次ブロックセンシング結果タッチ(または近接)入力が検出されない第１の２次ブロック（ＢＬ１１）に属したＴｘライン（Ｔ１〜Ｔ４）と、１次ブロックセンシング結果タッチ(または近接)入力が検出されない第２の１次ブロック（ＢＬ２）に属したＴｘライン（Ｔ９〜Ｔ１６）に駆動信号を印加しない。
【０１４３】
Ｒｘ駆動回路３４は、３次ブロックセンシングステップで図４３及び図４４のように第１駆動信号（Ｐ７１）に同期しＲｘライン（Ｒ１〜Ｒ２４）を通じて第１の３次ブロック（ＢＬ１２１) 内のタッチセンサの電圧を受信してサンプリング及びデジタル変換する。続いて、Ｒｘ駆動回路３４は第２駆動信号（Ｐ７２）と同期され、Ｒｘライン（Ｒ１〜Ｒ２４）を通じて第２の３次ブロック（ＢＬ１２２）内のタッチセンサの電圧を受信してサンプリング及びデジタル変換する。
【０１４４】
タッチ認識プロセッサ３０は、３次ブロックセンシングの結果、Ｒｘ駆動回路３４から受信されたタッチ元のデータをしきい値と比較し、タッチ(または近接)入力可否を判断する。３次ブロックセンシングの結果、図４３のように第２の３次ブロック（ＢＬ１２２）からタッチ(または近接)入力が検出されれば、第２の３次ブロック（ＢＬ１２）に対してパーシャルセンシングが実行される。３次ブロックはこれ以上ブロックに分割されないため、３次ブロックセンシングでタッチ(または近接)入力が検出されればパーシャルセンシングステップが実行される。一方、２次ブロックセンシングまたは３次ブロックセンシングで一定大きさ以上のタッチ(または近接)入力が検出されればパーシャルセンシングステップを実行せずに正しくタッチ認識アルゴリズムが実行され、タッチ(または近接)入力位置に対する座標が推定される。
【０１４５】
Ｔｘ駆動回路３２はパーシャルセンシングステップに移行し図４３及び図４４のように第２の３次ブロック（ＢＬ１２２）のタッチセンサに接続されたＴｘライン（Ｔ７、Ｔ８）に駆動信号（Ｐ８１、Ｐ８２）を順次供給する。駆動信号（Ｐ８１、Ｐ８２）のそれぞれは前述のように複数のパルスを含むことができる。
【０１４６】
Ｒｘ駆動回路３４は、パーシャルセンシングステップで図４３及び図４４のように第１駆動信号（Ｐ８１）に同期され、Ｒｘライン（Ｒ１〜Ｒ２４）を通じてタッチセンサの電圧を順次受信し、サンプリング及びデジタル変換する。続いて、Ｒｘ駆動回路３４は第２駆動信号（Ｐ８２）に同期されＲｘライン（Ｒ１〜Ｒ２４）を通じてタッチセンサの電圧を順次受信してサンプリング及びデジタル変換する。
【０１４７】
タッチ認識プロセッサ３０は、パーシャルセンシングの結果、Ｒｘ駆動回路３４から受信されたタッチ元のデータをしきい値と比較してタッチ(または近接)入力位置を判断し、タッチ認識アルゴリズムを行ってそのタッチ(または近接)入力位置に対する座標値を推正する。そしてタッチ認識プロセッサ３０はパーシャルセンシング結果検出されたタッチ(または近接)位置に対する座標情報を含む座標データ（Ｈ  ＩＤｘｙ）を出力する。
【０１４８】
パーシャルセンシングステップでセンシング対象領域が固定されればタッチ(または近接)入力位置が不正確に処理されることができる。これを図４５乃至図４７を参照しながら説明する。
【０１４９】
図４５乃至図４７を参照すると、Ｔｘブロックは複数のＲｘブロックに分けられることができる。第１Ｔｘブロックは、第１乃至第４Ｔｘライン（Ｔ１〜Ｔ４））を共有する第１乃至第３ブロック(Ｂ１１〜Ｂ１３）を含む。第２Ｔｘブロックは第５乃至第８Ｔｘライン（Ｔ５〜Ｔ８）を共有する第４乃至第６ブロック（Ｂ２１〜Ｂ２３）を含む。第３Ｔｘブロックは第９乃至第１２Ｔｘライン（Ｔ９〜Ｔ１２）を共有する第７乃至第９ブロック（Ｂ３１〜Ｂ３３）を含む。第１乃至第９ブロック（Ｂ１１〜Ｂ３１）はＴｘブロックとＲｘブロックの交差に従って定義された格子形態に分けられる。
【０１５０】
ブロックセンシングステップはＴｘブロック単位でタッチ入力有無を高速に検出する。パーシャルセンシングステップはタッチ入力位置が検出されたブロック内のタッチセンサを精緻にセンシングする。
【０１５１】
Ｔｘ駆動回路３２はブロックセンシングステップで第１Ｔｘブロック（Ｂ１１〜Ｂ１３）のタッチセンサの電圧をセンシングするために第１乃至第４Ｔｘライン（Ｔ１〜Ｔ４）に駆動信号（Ｐ１１〜Ｐ１３）を同時に印加した後、第２Ｔｘブロック（Ｂ２１〜Ｂ２３）のタッチセンサの電圧をセンシングするために第５乃至第８Ｔｘライン（Ｔ５〜Ｔ８）に駆動信号（Ｐ２１〜Ｐ２３）を同時に印加する。続いて、Ｔｘ駆動回路３２は、第３Ｔｘブロック（Ｂ３１〜Ｂ３３）のタッチセンサの電圧をセンシングするために第９乃至第１２Ｔｘライン（Ｔ９〜Ｔ１２）に駆動信号（Ｐ３１〜Ｐ３３）を同時に印加する。
【０１５２】
Ｒｘ駆動回路３４はブロックセンシングステップで駆動パルスＰ１１に同期し、第１乃至第４Ｒｘライン（Ｒ１〜Ｒ４）を通じてタッチセンサの電圧を受信し第１ブロック（Ｂ１１）内のタッチセンサの電圧を受信してサンプリングしてデジタルデータに変換する。Ｒｘ駆動回路３４はブロックセンシングステップで駆動パルスＰ１２に同期し、第５乃至第８Ｒｘライン（Ｒ５〜Ｒ８）を通じてタッチセンサの電圧を受信し、第２ブロック（Ｂ１２）内に存在するタッチセンサの電圧を受信してサンプリングしデジタルデータに変換する。Ｒｘ駆動回路３４はブロックセンシングステップで駆動パルスＰ１３に同期し第９乃至第１２Ｒｘライン（Ｒ９〜Ｒ１２）を通じてタッチセンサの電圧を受信し、第３ブロック（Ｂ１３）内に存在するタッチセンサの電圧を受信し、サンプリングしてデジタルデータに変換する。
【０１５３】
Ｒｘ駆動回路３４は、ブロックセンシングステップで駆動パルスＰ２１に同期して第１乃至第４Ｒｘライン（Ｒ１〜Ｒ４）を通じてタッチセンサの電圧を受信し、第４ブロック（Ｂ２１）内に存在するタッチセンサの電圧を受信してサンプリングしデジタルデータに変換する。Ｒｘ駆動回路３４は、ブロックセンシングステップで駆動パルスＰ２２に同期して第５乃至第８Ｒｘライン（Ｒ５〜Ｒ８）を通じてタッチセンサの電圧を受信し、第５ブロック（Ｂ２２)内に存在するタッチセンサの電圧を受信しサンプリングしてデジタルデータに変換する。Ｒｘ駆動回路３４はブロックセンシングステップで駆動パルスＰ２３に同期して第９乃至第１２Ｒｘライン（Ｒ９〜Ｒ１２）を通じてタッチセンサの電圧を受信し、第６ブロック（Ｂ２３）内に存在するタッチセンサの電圧を受信してサンプリングしデジタルデータに変換する。
【０１５４】
Ｒｘ駆動回路３４は、ブロックセンシングステップで駆動パルスＰ３１に同期して第１乃至第４Ｒｘライン（Ｒ１〜Ｒ４）を通じてタッチセンサの電圧を受信し、第７ブロック（Ｂ３１）内に存在するタッチセンサの電圧を受信しサンプリングしデジタルデータに変換する。Ｒｘ駆動回路３４はブロックセンシングステップで駆動パルスＰ３２に同期し、第５乃至第８Ｒｘライン（Ｒ５〜Ｒ８）を通じてタッチセンサの電圧を受信し、第８ブロック（Ｂ３２）内に存在するタッチセンサの電圧を受信しサンプリングしてデジタルデータに変換する。Ｒｘ駆動回路３４はブロックセンシングステップで駆動パルスＰ３３に同期し第９ないし第１２Ｒｘライン（Ｒ９〜Ｒ１２）を通じてタッチセンサの電圧を受信し、第９ブロック（Ｂ３３）内に存在するタッチセンサの電圧を受信してサンプリングしデジタルデータに変換する。
【０１５５】
タッチスクリーン駆動回路は、ブロックセンシングの結果、図４５のように第５ブロック（Ｂ２２）内でタッチ(または近接)入力が検出されればパーシャルセンシングステップを実行する。タッチスクリーン駆動回路は、パーシャルセンシングステップで第５ブロック（Ｂ２２）内のタッチセンサをセンシングするために、第５乃至第８Ｔｘライン（Ｔ５〜Ｔ８）に駆動信号を順次に印加して第５ブロック（Ｂ２２）内のタッチセンサをセンシングすることができる。
【０１５６】
タッチ(または近接)入力位置を正確に計算するためにはタッチ(または近接)入力領域の中心点を正確に捜さなければならない。例えば図４５のようにタッチ(または近接)入力位置が第５ブロック（Ｂ２２）の右側端に存在する時、パーシャルセンシングステップが第５ブロック（Ｂ２２）内においてのみ実行されると、タッチ(または近接)入力領域の中心点がシフトされることができる。この時、第５ブロック（Ｂ２２）の右側端に位置するタッチセンサのタッチ入力前後の電圧変化量がしきい値（Ｖｔｈ）以上に変わってタッチ位置に認識される。これに比べて、第６ブロック（Ｂ２３）の左側端に位置する一部タッチセンサの電圧が変わるがしきい値（Ｖｔｈ）より低いため、タッチ(または近接)入力がないタッチセンサで認識される。パーシャルセンシングステップが第５ブロック（Ｂ２２）内においてのみ実行されると、図４７の斜線を引いた部分のように第６ブロック（Ｂ２３）のタッチセンサの電圧がセンシングされない。
【０１５７】
図４７のような場合に、タッチ(または近接)入力領域の中心点が実際中心点（ｘ２）より左側にシフトされたx1に認識され、タッチ(または近接)入力位置が誤認識されることがある。タッチ(または近接)入力がラインドローイング（drawing）やドラッギング（dragging）である場合には線形性が失われ、タッチ(または近接)入力の軌跡がブロックの間境界で切れるかジグザグ形状に歪曲されることがある。このような問題を解決するために、本発明の第５実施の形態はパーシャルセンシングステップで図４８乃至図４７のようにブロック内でタッチ(または近接)入力位置に従って可変されるパーシャルセンシング領域を適用しパーシャルセンシングを遂行する。このようなパーシャルセンシング方法は本願の全ての実施の形態に適用可能である。
【０１５８】
本発明の第５実施の形態に係るタッチセンサ装置の駆動方法におけるパーシャルセンシング方法は、ブロックセンシングステップでパーシャルセンシング領域を拡張しタッチ(または近接)入力が検出されたブロックとともに、そのブロック周辺のブロック及び/またはタッチセンサを追加で精密センシングする。図４８乃至図５７は本発明の第５実施の形態に係るタッチセンサ装置の駆動方法でパーシャルセンシング方法を示す図である。図４８乃至図５７におけるブロックセンシング方法は前述の実施の形態を適用することができる。従って、ブロックセンシング方法に対する詳細な説明を省略する。
【０１５９】
ＣＡＳＥ１
【０１６０】
図４８及び図４９は特定ブロックの右側端にタッチ(または近接)入力が検出された場合に指定されるパーシャルセンシング領域１００と、そのパーシャルセンシング領域１００に印加される駆動信号を示す図である。
【０１６１】
図４８及び図４９を参照すれば、ブロックセンシングステップで第５ブロック（Ｂ２２）の右側端でタッチ(または近接)入力が検出されれば、タッチスクリーン駆動回路はパーシャルセンシングステップで第５ブロック（Ｂ２２）とその右側に隣接する第６ブロック（Ｂ２３）のタッチセンサ電圧をセンシングする。そしてタッチスクリーン駆動回路は第５及び第６ブロック（Ｂ２２、Ｂ２３）の外に位置するタッチセンサの中で第５及び第６ブロック（Ｂ２２、Ｂ２３）と近いタッチセンサの電圧を追加的にセンシングする。ここで、第５及び第６ブロック（Ｂ２２、Ｂ２３）と近いタッチセンサは第５及び第６ブロック（Ｂ２２、Ｂ２３）の上に配置されたタッチセンサと、第５及び第６ブロック（Ｂ２２、Ｂ２３）の下に配置されたタッチセンサを含む。第５及び第６ブロック（Ｂ２２、Ｂ２３）の上に配置されたタッチセンサは第５及び第６ブロック（Ｂ２２、Ｂ２３）の上に配置された第２ 及び第３ブロック（Ｂ１２、Ｂ１３）内で第５及び第６ブロック（Ｂ２２、Ｂ２３）と近いＭ（Ｍは１以上であり１ブロックに含まれたＴｘライン数より小さな正の整数)個のＴｘラインに接続されたタッチセンサで有り得る。第５及び第６ブロック（Ｂ２２、Ｂ２３）の下に配置されたタッチセンサは第５及び第６ブロック（Ｂ２２、Ｂ２３）の下に配置された第８及び第９ブロック（Ｂ３２、Ｂ３３）内で第５及び第６ブロック（Ｂ２２、Ｂ２３）と近いＭ個のＴｘラインに接続されたタッチセンサで有り得る。図４８及び図４９でＭ＝１で仮定したがここに限定されない。
【０１６２】
タッチスクリーン駆動回路は、パーシャルセンシングステップで図４９のように第５及び第６ブロック（Ｂ２２、Ｂ２３）内のタッチセンサと接続されたＴｘライン（Ｔ５〜Ｔ８）に駆動信号を供給し、パーシャルセンシング領域１００を拡張するために第２及び第３ブロック（Ｂ１２、Ｂ１３）に配置された第４Ｔｘライン（Ｔ４）と、第８及び第９ブロック（Ｂ３２、Ｂ３３）に配置された第９Ｔｘライン（Ｔ４、Ｔ９）にも駆動信号を供給する。駆動信号はパーシャルセンシングステップで第４Ｔｘライン（Ｔ４）から第９Ｔｘライン（Ｔ９）順序でＴｘライン（Ｔ４〜Ｔ９）に順次に印加されることができる。図４９でパーシャルセンシングステップで一つのＴｘラインに一つの駆動信号が供給されることに図示されているが、その駆動信号は複数のパルスを含むことができる。Ｒｘ駆動回路３４はＴｘライン（Ｔ４〜Ｔ９）に供給される駆動信号に同期し拡張されたパーシャルセンシング領域１００内でＴｘライン（Ｔ４〜Ｔ９）と交差されるＲｘライン（Ｒ５〜Ｒ１２）を通じてタッチセンサの電圧を受信し、そのタッチセンサの電圧を順次にサンプリングしてデジタルデータに変換する。
【０１６３】
ＣＡＳＥ ２
【０１６４】
図５０及び図５1は特定ブロックの左側端にタッチ(または近接)入力が検出された場合に指定されるパーシャルセンシング領域１００と、そのパーシャルセンシング領域１００に印加される駆動信号を示す図である。
【０１６５】
図５０及び図５1を参照すれば、第５ブロック（Ｂ２２）の左側端でタッチ(または近接)入力が検出されれば、タッチスクリーン駆動回路はパーシャルセンシングステップで第５ブロック（Ｂ２２）とその左側に隣接する第４ブロック（Ｂ２１）のタッチセンサ電圧をセンシングする。そしてタッチスクリーン駆動回路、パーシャルセンシング領域１００を拡張して第４及び第５ブロック（Ｂ２１、Ｂ２２）の外に位置するタッチセンサの中で第４及び第５ブロック（Ｂ２１、Ｂ２２）と近いタッチセンサの電圧を追加にセンシングする。ここで、第４及び第５ブロック（Ｂ２１、Ｂ２２）と近いタッチセンサは第４及び第５ブロック（Ｂ２１、Ｂ２２）の上に配置されたタッチセンサと、第４及び第５ブロック（Ｂ２１、Ｂ２２）の下に配置されたタッチセンサを含む。第４及び第５ブロック（Ｂ２１、Ｂ２２）の上に配置されたタッチセンサは第４及び第５ブロック（Ｂ２１、Ｂ２２）の上側に配置されたタッチセンサの中で第４及び第５ブロック（Ｂ２１、Ｂ２２）と近いＭ個のＴｘラインに接続されたタッチセンサで有り得る。第４及び第５ブロック（Ｂ２１、Ｂ２２）の下に配置されたタッチセンサは第４及び第５ブロック（Ｂ２１、Ｂ２２）の下に配置されたタッチセンサの中で第４及び第５ブロック（Ｂ２１、Ｂ２２）と近いＭ個のＴｘラインに接続されたタッチセンサで有り得る。 図５０及び図５1でＭ＝１で仮定したがここに限定されない。
【０１６６】
タッチスクリーン駆動回路、パーシャルセンシングステップで図５１のように第４及び第５ブロック（Ｂ２１、Ｂ２２）内のタッチセンサと接続されたＴｘライン（Ｔ５〜Ｔ８）に駆動信号を供給し、パーシャルセンシング領域１００を拡張するために第１及び第２ブロック（Ｂ１１、Ｂ１２）に配置された第４Ｔｘライン（Ｔ４）と、第７及び第８ブロック（Ｂ３１、Ｂ３２）に配置された第９Ｔｘライン（Ｔ９）にも駆動信号を供給する。パーシャルセンシング期間（ＴＰ）間、駆動信号は第４Ｔｘライン（Ｔ４）から第９Ｔｘライン（Ｔ９）順でＴｘライン（Ｔ４〜Ｔ９）に順次に印加されることができる。図５1でパーシャルセンシング期間（ＴＰ）に一つのＴｘラインに一つの駆動信号が供給されることに示されているが、その駆動信号は複数のパルスを含むことができる。Ｒｘ駆動回路３４はＴｘライン（Ｔ４〜Ｔ９）に供給される駆動信号に同期し、パーシャルセンシング領域１００内でＴｘライン（Ｔ４〜Ｔ９）と交差されるＲｘライン（Ｒ１〜Ｒ８）を通じてタッチセンサの電圧を受信して、そのタッチセンサの電圧を順次にサンプリングしてデジタルデータに変換する。
【０１６７】
ＣＡＳＥ ３
【０１６８】
図５２及び図５３は特定ブロックの中央にタッチ(または近接)入力が検出された場合に指定されるパーシャルセンシング領域１００と、そのパーシャルセンシング領域１００に印加される駆動信号を示す図である。
【０１６９】
図５２及び図５３を参照すれば、タッチスクリーン駆動回路は第５ブロック（Ｂ２２）の中央でタッチ(または近接)入力が検出されれば、パーシャルセンシングステップで第５ブロック（Ｂ２２）のタッチセンサの電圧を精密にセンシングする。そして、タッチスクリーン駆動回路は、パーシャルセンシングステップでパーシャルセンシング領域１００を拡張して第５ブロック（Ｂ２２）の外に位置するタッチセンサの中で第５ブロック（Ｂ２２）と近いタッチセンサを追加にセンシングする。ここで、第５ブロック（Ｂ２２）と近いタッチセンサは第５ブロック（Ｂ２２）の上に配置されたタッチセンサと、第５ブロック（Ｂ２２）の下に配置されたタッチセンサを含む。第５ブロック（Ｂ２２）の上に配置されたタッチセンサは第５ブロック（Ｂ２２）の上に配置されたタッチセンサの中で第５ブロック（Ｂ２２）と近いＭ個のＴｘラインに接続されたタッチセンサで有り得る。第５ブロック（Ｂ２２）の下に配置されたタッチセンサは第５ブロック（Ｂ２２）の下に配置されたタッチセンサの中で第５ブロック（Ｂ２２）と近いＭ個のＴｘラインに接続されたタッチセンサで有り得る。図４２及び図５３でＭ＝１で仮定したがここに限定されない。
【０１７０】
タッチスクリーン駆動回路はパーシャルセンシングステップで図５３のように第５ブロック（Ｂ２２）内のタッチセンサと接続されたＴｘライン（Ｔ５〜Ｔ８）に駆動信号を供給し、パーシャルセンシング領域１００を拡張するために第２ブロック（Ｂ１２）に配置された第４Ｔｘライン（Ｔ４）と第８ブロック(Ｂ３２)に配置された第９Ｔｘライン（Ｔ４、Ｔ９）にも駆動信号を供給する。パーシャルセンシング期間（ＴＰ）の間、駆動信号は第４Ｔｘライン（Ｔ４）から第９Ｔｘライン（Ｔ９）の順でＴｘライン（Ｔ４〜Ｔ９）に順次に印加される。図５３において、パーシャルセンシング期間（ＴＰ）に一つのＴｘラインに一つの駆動信号が供給されることが示されているが、その駆動信号は複数のパルスを含むことができる。Ｒｘ駆動回路３４はＴｘライン（Ｔ４〜Ｔ９）に供給される駆動信号に同期してパーシャルセンシング領域１００内でＴｘライン(T4〜T9)と交差されるＲｘライン（Ｒ５〜Ｒ８）を通じてタッチセンサの電圧を受信して、そのタッチセンサの電圧を順次にサンプリングしてデジタルデータに変換する。
【０１７１】
ＣＡＳＥ４
【０１７２】
図５４及び図５５は特定ブロックの上側端でタッチ(または近接)入力が検出された場合に指定されるパーシャルセンシング領域１００と、そのパーシャルセンシング領域１００に印加される駆動信号を示す図である。
【０１７３】
図５４及び図５５を参照すれば、タッチスクリーン駆動回路は第５ブロック（Ｂ２２）の上側端でタッチ(または近接)入力が検出されれば、パーシャルセンシングステップで第５ブロック（Ｂ２２）とその上側に隣合う第２ブロック（Ｂ１２）のタッチセンサの電圧をセンシングする。そしてタッチスクリーン駆動回路は、パーシャルセンシングステップでパーシャルセンシング領域１００を拡張して第２及び第５ブロック（Ｂ１２、Ｂ２２）外のタッチセンサの中で第２及び第５ブロック（Ｂ１２、Ｂ２２）と近いタッチセンサの電圧を追加的にセンシングする。ここで、第２及び第５ブロック（Ｂ１２、Ｂ２２）と近いタッチセンサは第２及び第５ブロック（Ｂ１２、Ｂ２２）の左側外に配置されたタッチセンサと、第２及び第５ブロック（Ｂ１２、Ｂ２２）の右側外に配置されたタッチセンサを含む。第２及び第５ブロック（Ｂ１２、Ｂ２２）の左側外に配置されたタッチセンサは第１及び第４ブロック（Ｂ１１、Ｂ２１）内で第２及び第５ブロック（Ｂ１２、Ｂ２２）と近い Ｍ個のＲｘラインに接続されたタッチセンサで有り得る。第２及び第５ブロック（Ｂ１２、Ｂ２２）の右側外に配置されたタッチセンサは第２及び第５ブロック（Ｂ１２、Ｂ２２）の右側と近い第３及び第６ブロック（Ｂ１３、Ｂ２３）内で第２及び第５ブロック（Ｂ１２、Ｂ２２）と近いＭ個のＲｘラインに接続されたタッチセンサで有り得る。図５４及び図５５でＭ＝１で仮定したがここに限定されない。
【０１７４】
タッチスクリーン駆動回路は、パーシャルセンシングステップで図５５のように第２及び第５ブロック（Ｂ１２、Ｂ２２）内のタッチセンサと接続されたＴｘライン（Ｔ１〜Ｔ８）に駆動信号を順次供給する。図５５において、パーシャルセンシング期間（ＴＰ）に一つのＴｘラインに一つの駆動信号が供給されることが示されているが、その駆動信号は複数のパルスを含むことができる。Ｒｘ駆動回路３４はＴｘライン（Ｔ１〜Ｔ８）に供給される駆動信号に同期し、パーシャルセンシング領域１００内でＴｘライン（Ｔ１〜Ｔ８）と交差されるＲｘライン（Ｒ４〜Ｒ９）を通じてタッチセンサの電圧を受信し、そのタッチセンサの電圧を順次にサンプリングしてデジタルデータに変換する。
【０１７５】
ＣＡＳＥ ５
【０１７６】
図５６及び図５７は特定ブロックの下側端でタッチ(または近接)入力が検出された場合に指定されるパーシャルセンシング領域１００と、そのパーシャルセンシング領域１００に印加される駆動信号を示す図である。
【０１７７】
図５６及び図５７を参照すれば、タッチスクリーン駆動回路は第５ブロック（Ｂ２２）の下側端でタッチ(または近接)入力が検出されると、パーシャルセンシングステップで第５ブロック（Ｂ２２）とその下側に隣接する第８ブロック（Ｂ３２）のタッチセンサの電圧をセンシングする。そして、タッチスクリーン駆動回路は、パーシャルセンシングステップでパーシャルセンシング領域１００を拡張して第５及び第８ブロック（Ｂ２２、Ｂ３２）の外に配置されたタッチセンサの中で第５及び第８ブロック（Ｂ２２、Ｂ３２）と近いタッチセンサの電圧を追加にセンシングする。ここで、第５及び第８ブロック（Ｂ２２、Ｂ３２）と近いタッチセンサは第５及び第８ブロック（Ｂ２２、Ｂ３２）の左側外に配置されたタッチセンサと、第５及び第８ブロック（Ｂ２２、Ｂ３２）の右側外に配置されたタッチセンサを含む。第５及び第８ブロック(Ｂ２２、Ｂ３２)の左側外に配置されたタッチセンサは第４及び第７ブロック（Ｂ２１、Ｂ３１）内で第５及び第８ブロック（Ｂ２２、Ｂ３２）と近いＭ個のＲｘラインに接続されたタッチセンサで有り得る。第５及び第８ブロック（Ｂ２２、Ｂ３２）の右側外に配置されたタッチセンサは第６及び第９ブロック（Ｂ２３、Ｂ３３）内で第５及び第８ブロック（Ｂ２２、Ｂ３２）と近いＭ個のＲｘラインに接続されたタッチセンサで有り得る。図４６及び図５７でＭ＝１で仮定したがここに限定されない。
【０１７８】
タッチスクリーン駆動回路は、パーシャルセンシングステップで図５７のように第５及び第８ブロック（Ｂ２２、Ｂ３２）内のタッチセンサと接続されたＴｘライン（Ｔ５〜Ｔ１２）に駆動信号を順次供給する。図２２において、パーシャルセンシング期間（ＴＰ）に一つのＴｘラインに一つの駆動信号が供給されることが示されているが、その駆動信号は複数のパルスを含むことができる。Ｒｘ駆動回路３４はＴｘライン（Ｔ５〜Ｔ１２）に供給される駆動信号に同期しパーシャルセンシング領域１００内でＴｘライン（Ｔ５〜Ｔ１２）と交差されるＲｘライン（Ｒ４〜Ｒ９）を通じてタッチセンサの電圧を受信し、そのタッチセンサの電圧を順次にサンプリングしてデジタルデータに変換する。
【図１】
0005693535.tif 000002
【図２】
0005693535.tif 000003
【図３】
0005693535.tif 000004
【図４】
0005693535.tif 000005
【図５】
0005693535.tif 000006
【図６】
0005693535.tif 000007
【図７】
0005693535.tif 000008
【図８】
0005693535.tif 000009
【図９】
0005693535.tif 000010
【図１０】
0005693535.tif 000011
【図１１】
0005693535.tif 000012
【図１２】
0005693535.tif 000013
【図１３】
0005693535.tif 000014
【図１４】
0005693535.tif 000015
【図１５】
0005693535.tif 000016
【図１６】
0005693535.tif 000017
【図１７】
0005693535.tif 000018
【図１８】
0005693535.tif 000019
【図１９】
0005693535.tif 000020
【図２０】
0005693535.tif 000021
【図２１】
0005693535.tif 000022
【図２２】
0005693535.tif 000023
【図２３】
0005693535.tif 000024
【図２４】
0005693535.tif 000025
【図２５】
0005693535.tif 000026
【図２６】
0005693535.tif 000027
【図２７】
0005693535.tif 000028
【図２８】
0005693535.tif 000029
【図２９】
0005693535.tif 000030
【図３０】
0005693535.tif 000031
【図３１】
0005693535.tif 000032
【図３２】
0005693535.tif 000033
【図３３】
0005693535.tif 000034
【図３４】
0005693535.tif 000035
【図３５】
0005693535.tif 000036
【図３６】
0005693535.tif 000037
【図３７】
0005693535.tif 000038
【図３８】
0005693535.tif 000039
【図３９】
0005693535.tif 000040
【図４０】
0005693535.tif 000041
【図４１】
0005693535.tif 000042
【図４２】
0005693535.tif 000043
【図４３】
0005693535.tif 000044
【図４４】
0005693535.tif 000045
【図４５】
0005693535.tif 000046
【図４６】
0005693535.tif 000047
【図４７】
0005693535.tif 000048
【図４８】
0005693535.tif 000049
【図４９】
0005693535.tif 000050
【図５０】
0005693535.tif 000051
【図５１】
0005693535.tif 000052
【図５２】
0005693535.tif 000053
【図５３】
0005693535.tif 000054
【図５４】
0005693535.tif 000055
【図５５】
0005693535.tif 000056
【図５６】
0005693535.tif 000057
【図５７】
0005693535.tif 000058